(57)【要約】【課題】色収差を良好に補正し、全ズーム範囲にわたって良好な結像性能を有した広角端が広画角で高ズーム比のズームレンズを提供する。【解決手段】物体側より像側へ順に、正の屈折力を有する第１レンズ群、負の屈折力を有する第２レンズ群、正の屈折力を有する像側レンズ群を有し、ズーミング時に第１レンズ群と第２レンズ群との間隔が変化するズームレンズにおいて、第１レンズ群内に物体側像側を空気面とした時に正の屈折力を有する屈折光学素子Aが物体側基材光学素子Bと像側基材光学素子Cとの間に位置して３枚接合光学素子Dを構成し、３枚接合光学素子Dより物体側に正の屈折力を有する光学素子が少なくとも１枚以上存在し、所定の条件式を満たす。【選択図】図１
2010197481.tif 000002
【特許請求の範囲】
【請求項１】
物体側より像側へ順に、正の屈折力を有する第１レンズ群と、負の屈折力を有する第２レンズ群と、正の屈折力を有する像側レンズ群を有し、ズーミング時に前記第１レンズ群と前記第２レンズ群との間隔が変化する結像光学系において、
前記第１レンズ群内に接合光学素子Dを設け、
前記接合光学素子Dは、物体側に位置する光学素子Bと像側に位置する光学素子Cとの間に、正の屈折力を有する屈折光学素子Aが位置するように構成され、
前記接合光学素子Dより物体側に、正の屈折力を有する光学素子が少なくとも１枚存在し、
以下の条件式（４−１）、条件式（４−２）および条件式（４−３）を満たすことを特徴とする結像光学系。
νdA＜30            …（４−１）
0.54＜θｇFA＜0.9   …（４−２）
0.4＜θｇFｎ＜0.9   …（４−３）
ここで、
ｎｄA、ｎCA、ｎFA、ｎgAは、各々前記屈折光学素子Aのｄ線、Ｃ線、Ｆ線、ｇ線に対する屈折率、
ｎｄB、ｎCB、ｎFB、ｎgBは、各々前記光学素子Bのｄ線、Ｃ線、Ｆ線、ｇ線に対する屈折率、
ｎｄC、ｎCC、ｎFC、ｎgCは、各々前記光学素子Cのｄ線、Ｃ線、Ｆ線、ｇ線に対する屈折率、
νdAは前記屈折光学素子Aのアッベ数(ndA-1)/(nFA-nCA)、
νdBは前記光学素子Bのアッベ数(ndB-1)/(nFB-nCB)、
νdCは前記光学素子Cのアッベ数(ndC-1)/(nFC-nCC)、
νBAは前記屈折光学素子Aと前記光学素子Bを１枚の光学素子と見なしたときのアッベ数、
θgFAは前記屈折光学素子Aの部分分散比（ｎgA−ｎFA)／（ｎFA−ｎCA）、
θgFBは前記屈折光学素子Bの部分分散比（ｎgB−ｎFB)／（ｎFB−ｎCB）、
θgFCは前記屈折光学素子Cの部分分散比（ｎgC−ｎFC)／（ｎFC−ｎCC）、
θgFBAは、前記屈折光学素子Aと前記光学素子Bを１枚の光学素子と見なしたときの実効部分分散比、
fAは前記屈折光学素子Aの焦点距離、
fBは前記光学素子Bの焦点距離、
fCは前記光学素子Cの焦点距離、
fBAは前記光学素子Bと前記屈折光学素子Aとの合成焦点距離、
ftは前記屈折光学素子Aと前記光学素子Bと前記光学素子Cの合成焦点距離、
θｇFnは前記接合光学素子Dの実効部分分散比ft×νefn×(θgFBA×φBA／νBA＋θgF C×φC／νC)であり、
νefn =1／(ft×(φBA／νBA＋φC／νC))、
θgFBA =fBA×νBA×（θgFA×φA／νdA+θgFB×φB／νB）、
νBA =1／(fBA×(φA／νdA＋φB／νB))、
1／fBA=1／fA+1／fB、
φA =1／fA、
φB =1／fB、
φC =1／fC、
φBA =1／fBA、
である。
【請求項２】
物体側より像側へ順に、正の屈折力を有する第１レンズ群と、負の屈折力を有する第２レンズ群と、正の屈折力を有する像側レンズ群を有し、ズーミング時に前記第１レンズ群と前記第２レンズ群との間隔が変化する結像光学系において、
前記第１レンズ群内に正の屈折力を有する屈折光学素子Aが位置し、
以下の条件式（４−１）、（４−２）および（２）を満足することを特徴とする結像光学系。
νdA＜30           …（４−１）
0.54＜θｇFA＜0.9  …（４−２）
｜G1／G2｜＞6.4   …（２）
ここで、
ｎｄA、ｎCA、ｎFA、ｎgAは、各々前記屈折光学素子Aのｄ線、Ｃ線、Ｆ線、ｇ線に対する屈折率、
νdAは前記屈折光学素子Aのアッベ数(ndA-1)/(nFA-nCA)、
θgFAは前記屈折光学素子Aの部分分散比（ｎgA−ｎFA)／（ｎFA−ｎCA）、
G1は前記第１レンズ群の焦点距離、
G2は前記第２レンズ群の焦点距離、
である。
【請求項３】
以下の条件式（２）を満足することを特徴とする請求項１に記載の結像光学系。
｜G1/G2｜＞6.4    …(２)
ここで、
G1は前記第１レンズ群の焦点距離、
G2は前記第２レンズ群の焦点距離、
である。
【請求項４】
以下の条件式（６）を満足することを特徴とする請求項１から請求項４のいずれか１項に記載の結像光学系。
0.4＜θｈｇA＜1.2  …（６）
ここで、
θｈｇAは前記屈折光学素子Aのh線の部分分散比（ｎhA−ｎgA）／（ｎFA−ｎCA）、
ｎhAは前記屈折光学素子Aのｈ線に対する屈折率、
である。
【請求項５】
前記第２レンズ群と前記第３レンズ群の間に絞りを有し、
前記正の屈折力の第３レンズ群に続いて、正の屈折力の第４レンズ群、正の屈折力の第５レンズ群を有し、
望遠端における各レンズ群の間隔が、広角端に比して、前記第１レンズ群と前記第２レンズ群の間隔が大きく、前記第２レンズ群と前記第３レンズ群の間隔が小さく、前記第３レンズ群と前記第４レンズ群の間隔が大きく、前記第４レンズ群と前記第５レンズ群の間隔が小さくなるように、隣接するレンズ群の間隔を変化させてズーミングを行うことを特徴とする請求項１から請求項４のいずれか１項に記載の結像光学系。
【請求項６】
以下の条件式（７）を満足することを特徴とする請求項１から請求項５のいずれか１項に記載の結像光学系。
|fB/fA|>0.15  …（７）
【請求項７】
以下の条件式（８）を満足することを特徴とする請求項１から請求項６のいずれか１項に記載の結像光学系。
0＜θgFB−θgFBA＜0.15  …（８）
【請求項８】
以下の条件式（９）を満足することを特徴とする請求項１から請求項７のいずれか１項に記載の結像光学系。
2.0＜fA／G1＜7.0  …（９）
ここで、
G1は前記第１レンズ群の焦点距離、
である。
【請求項９】
以下の条件式（１０）を満足することを特徴とする請求項１から請求項８のいずれか１項に記載の結像光学系。
−26＜(Ra+Rb)/（Ra-Rb）＜-0.5  …（１０）
ここで、
Raは前記屈折光学素子Aの物体側の曲率、
Rbは前記屈折光学素子Aの像面側の曲率、
である。
【請求項１０】
結像光学系と撮像素子を有する撮像装置において、
前記結像光学系は、物体側より像側へ順に、正の屈折力を有する第１レンズ群と、負の屈折力を有する第２レンズ群と、正の屈折力を有する像側レンズ群を有し、ズーミング時に前記第１レンズ群と前記第２レンズ群との間隔が変化し、
前記第１レンズ群内に正の屈折力を有する屈折光学素子Aが位置し、
前記屈折光学素子Aが以下の条件式（３−２）を満たすことを特徴とする撮像装置。
0＜(Zb(3.3a)-Za(3.3a))/(Zb(2.5a)-Za(2.5a))<0.895  …（３−２）
ここで、
ｆｗは前記結像光学系の広角端での焦点距離、
ｆｔは前記結像光学系での望遠端での焦点距離、
IHは前記撮像素子上での最大像高、
Za(h)は、前記屈折光学素子Aの光軸上での物体側面頂と、物体側の高さhでの位置との光軸方向の距離、
Zb(h)は、前記屈折光学素子Aの光軸上での物体側面頂と、像面側の高さhでの位置との光軸方向の距離、
aは、次式（３−１）で定義する値である。
a=(IH2×log10(ft/fw) )/ fw  …（３−１）
【請求項１１】
結像光学系と撮像素子を有する撮像装置において、
前記結像光学系は請求項１から請求項９の何れか１項に記載の結像光学系であって、
以下の条件式（３−２）を満たすことを特徴とする撮像装置。
0＜(Zb(3.3a)-Za(3.3a))/(Zb(2.5a)-Za(2.5a))<0.895  …（３−２）
ここで、
ｆｗは前記結像光学系の広角端での焦点距離、
ｆｔは前記結像光学系での望遠端での焦点距離、
IHは前記撮像素子上での最大像高、
Za(h)は、前記屈折光学素子Aの光軸上での物体側面頂と、物体側の高さhでの位置との光軸方向の距離、
Zb(h)は、前記屈折光学素子Aの光軸上での物体側面頂と、像面側の高さhでの位置との光軸方向の距離、
aは、次式（３−１）で定義する値である。
a=(IH2×log10(ft/fw) )/ fw  …（３−１）
【請求項１２】
以下の条件式（５ａ）又は条件式（５ｂ）を満足することを特徴とする請求項１０または請求項１１に記載の撮像装置。
0.20<(Tnglw(0.7)/Tbasw(0.7))/(Tngl(0)/Tbas(0))<0.65  …（５a）
0.10<(Tnglw(0.9)/Tbasw(0.9))/(Tngl(0)/Tbas(0))<0.45  …（５b）
ここで、
Tngl(0)は前記屈折光学素子Aの軸上の中肉厚、
Ｔnglw（0.7）は、広角端における前記撮像素子上での最大光線高に対し70％の光線高の光線が前記屈折光学素子A内を通過する長さ、
Ｔnglw（0.9）は、広角端における前記撮像素子上での最大光線高に対し90％の光線高の光線が前記屈折光学素子A内を通過する長さ、
Tbas(0)は前記光学素子Bの軸上の中肉厚、
Ｔbasw（0.7）は、広角端における前記撮像素子上での最大光線高に対し70％の光線高の光線が前記光学素子B内を通過する長さ、
Ｔbasw（0.9）は、広角端における前記撮像素子上での最大光線高に対し90％の光線高の光線が前記光学素子B内を通過する長さ、
である。
【請求項１３】
以下の条件式（１１−１a）、（１１−１ｂ）、（１１−１ｃ）、（１１−２a）、（１１−２ｂ）のいずれかを満足することを特徴とする請求項１０から請求項１２のいずれか１項に記載の撮像装置。
0.4＜Tngl(0)／Tbas(0)＜2.4  …（１１−１a）
0.2＜Tnglt(0.7)／Tbast(0.7)＜1.5  …（１１−１b）
0.1＜Tnglt(0.9)／Tbast(0.9)＜1.1  …（１１−１c）
0.2<(Tnglt(0.7)/Tbast(0.7))/(Tngl(0)/Tbas(0))<0.85  …（１１−２a）
0.2<(Tnglt(0.9)/Tbast(0.9))/(Tngl(0)/Tbas(0))<0.75  …（１１−２b）
ここで、
Tngl(0)は前記屈折光学素子Aの軸上の中肉厚、
Ｔnglt（0.7）は、望遠端における前記撮像素子上での最大光線高に対し70％の光線高の光線が前記屈折光学素子A内を通過する長さ、
Ｔnglt（0.9）は、望遠端における前記撮像素子上での最大光線高に対し90％の光線高の光線が前記屈折光学素子A内を通過する長さ、
Tbaso(0)は前記光学素子Bの軸上の中肉厚、
Ｔbasto（0.7）は、望遠端における前記撮像素子上での最大光線高に対し70％の光線高の光線が前記光学素子B内を通過する長さ、
Ｔbasto（0.9）は、望遠端における前記撮像素子上での最大光線高に対し90％の光線高の光線が前記光学素子B内を通過する長さ、
である。
【請求項１４】
以下の条件式（１２ａ）又は条件式（１２ｂ）を満足することを特徴とする請求項１０から請求項１３のいずれか１項に記載の撮像装置。
0.5<(Tnglw(0.7) /(Tngl(0))<0.9  …（１２a）
0.3<(Tnglw(0.9)/(Tngl(0))<0.8  …（１２b）
ここで、
Tngl(0)は前記屈折光学素子Aの軸上の中肉厚、
Ｔnglw（0.7）は、広角端における前記撮像素子上での最大光線高に対し70％の光線高の光線が前記屈折光学素子A内を通過する長さ、
Ｔnglw（0.9）は、広角端における前記撮像素子上での最大光線高に対し90％の光線高の光線が前記屈折光学素子A内を通過する長さ、
である。
【請求項１５】
以下の条件式（１３ａ）又は条件式（１３ｂ）を満足することを特徴とする請求項１０から請求項１４のいずれか１項に記載の撮像装置。
0.5<(Tnglt(0.7) /(Tngl(0))<0.95  …（１３a）
0.4<(Tnglt(0.9)/(Tngl(0))<0.93  …（１３b）
ここで、
Tngl(0)は前記屈折光学素子Aの軸上の中肉厚、
Ｔnglt（0.7）は、望遠端における前記撮像素子上での最大光線高に対し70％の光線高の光線が前記屈折光学素子A内を通過する長さ、
Ｔnglt（0.9）は、望遠端における前記撮像素子上での最大光線高に対し90％の光線高の光線が前記屈折光学素子A内を通過する長さ、
である。
【請求項１６】
以下の条件式（１４−１a）、（１４−１ｂ）、（１４−１ｃ）のいずれかを満足することを特徴とする請求項１０から請求項１５のいずれか１項に記載の撮像装置。
0.4＜Tngl(0)／Tbas(0)＜2.4  …（１４−１a）
0.2＜Tnglw(0.7)／Tbasw(0.7)＜0.9  …（１４−１b）
0.1＜Tnglw(0.9)／Tbasw(0.9)＜0.65  …（１４−１c）
ここで、
Tngl(0)は前記屈折光学素子Aの軸上の中肉厚、
Ｔnglw（0.7）は、広角端における前記撮像素子上での最大光線高に対し70％の光線高の光線が前記屈折光学素子A内を通過する長さ、
Ｔnglw（0.9）は、広角端における前記撮像素子上での最大光線高に対し90％の光線高の光線が前記屈折光学素子A内を通過する長さ、
Tbas(0)は前記光学素子Bの軸上の中肉厚、
Ｔbasw（0.7）は、広角端における前記撮像素子上での最大光線高に対し70％の光線高の光線が前記光学素子B内を通過する長さ、
Ｔbasw（0.9）は、広角端における前記撮像素子上での最大光線高に対し90％の光線高の光線が前記光学素子B内を通過する長さ、
である。
【発明の詳細な説明】
【技術分野】
【０００１】
本発明は、結像光学系及びそれを有する電子撮像装置に関する。
【背景技術】
【０００２】
近年、銀塩フィルムに代わりデジタルカメラ等の撮像装置が普及してきている。デジタルカメラでは、ＣＣＤやＣＭＯＳのような固体撮像素子を用いて被写体を撮影するようになっている。このような撮像装置に用いられる撮像レンズには、高ズーム比のズームレンズ（結像レンズ）であることが望まれている。
【０００３】
このような撮像レンズには、単色での結像性能（球面収差やコマ収差等）に関係する収差が良好に補正されていることが望まれる。それに加えて、像の解像力や色にじみに関係する色収差の補正が十分行われていることが望まれている。
【０００４】
一方、レンズ全長（光学全長）については短縮化を望まれている。ところが、レンズ全長を短縮し、光学系全体の小型化を図るほど、諸収差、特に色収差が多く発生し、結像性能が低下する傾向にある。特に高ズーム比で望遠端の焦点距離が長いズームレンズには、色収差の補正として１次の色消しに加えて２次スペクトルの低減が求められている。
【０００５】
このような色収差の発生を低減する方法として、異常部分分散比を有する光学材料を用いる方法が知られている（特許文献１から特許文献３）。
【０００６】
また、撮像装置に用いるズームレンズには、所定のズーム比を有し、広角端が広画角で、さらに明るく高性能であることが望まれている。ズームレンズの高性能化を行うためには、全ズーム範囲にわたって色収差を良好に補正する必要がある。
【先行技術文献】
【特許文献】
【０００７】
【特許文献１】特開２００７−１６３９６４号公報
【特許文献２】特開２００６−３４９９４７号公報
【特許文献３】特開２００７−２９８５５５号公報
【発明の概要】
【発明が解決しようとする課題】
【０００８】
従来の異常部分分散比を有する光学材料を用いる光学系では、広角端で広画角を有し低ズーム比のもの、広角端で標準的な画角を有し高ズーム比のものは達成されていた。しかしながら、広角端で広画角かつ高ズーム比を有するものは達成されていない。また、従来の光学系では、１次の色消し、２次スペクトルの低減は行われている。しかしながら、広角端で広画角かつ高ズーム比を有する光学系では、さらなる２次スペクトルの低減が求められるが、実現されていない。
【０００９】
本発明は、上記に鑑みてなされたものであって、全ズーム範囲にわたって２次スペクトルが低減され、広角端が広画角で高ズーム比の結像光学系及びそれを用いた撮像装置（電子撮像装置）の提供を目的とする。
【課題を解決するための手段】
【００１０】
上述した課題を解決し、目的を達成するために、本発明の第１の態様の結像光学系は
、物体側より像側へ順に、正の屈折力を有する第１レンズ群と、負の屈折力を有する第２レンズ群と、正の屈折力を有する像側レンズ群を有し、ズーミング時に前記第１レンズ群と前記第２レンズ群との間隔が変化する結像光学系において、前記第１レンズ群内に接合光学素子Dを設け、前記接合光学素子Dは、物体側に位置する光学素子Bと像側に位置する光学素子Cとの間に、正の屈折力を有する屈折光学素子Aが位置するように構成され、前記接合光学素子Dより物体側に、正の屈折力を有する光学素子が少なくとも１枚存在し、以下の条件式（４−１）、条件式（４−２）および条件式（４−３）を満たすことを特徴とする。
νdA＜30            …（４−１）
0.54＜θｇFA＜0.9   …（４−２）
0.4＜θｇFｎ＜0.9   …（４−３）
ここで、
ｎｄA、ｎCA、ｎFA、ｎgAは、各々前記屈折光学素子Aのｄ線、Ｃ線、Ｆ線、ｇ線に対する屈折率、
ｎｄB、ｎCB、ｎFB、ｎgBは、各々前記光学素子Bのｄ線、Ｃ線、Ｆ線、ｇ線に対する屈折率、
ｎｄC、ｎCC、ｎFC、ｎgCは、各々前記光学素子Cのｄ線、Ｃ線、Ｆ線、ｇ線に対する屈折率、
νdAは前記屈折光学素子Aのアッベ数(ndA-1)/(nFA-nCA)、
νdBは前記光学素子Bのアッベ数(ndB-1)/(nFB-nCB)、
νdCは前記光学素子Cのアッベ数(ndC-1)/(nFC-nCC)、
νBAは前記屈折光学素子Aと前記光学素子Bを１枚の光学素子と見なしたときのアッベ数、
θgFAは前記屈折光学素子Aの部分分散比（ｎgA−ｎFA)／（ｎFA−ｎCA）、
θgFBは前記屈折光学素子Bの部分分散比（ｎgB−ｎFB)／（ｎFB−ｎCB）、
θgFCは前記屈折光学素子Cの部分分散比（ｎgC−ｎFC)／（ｎFC−ｎCC）、
θgFBAは、前記屈折光学素子Aと前記光学素子Bを１枚の光学素子と見なしたときの実効部分分散比、
fAは前記屈折光学素子Aの焦点距離、
fBは前記光学素子Bの焦点距離、
fCは前記光学素子Cの焦点距離、
fBAは前記光学素子Bと前記屈折光学素子Aとの合成焦点距離、
ftは前記屈折光学素子Aと前記光学素子Bと前記光学素子Cの合成焦点距離、
θｇFnは前記接合光学素子Dの実効部分分散比ft×νefn×(θgFBA×φBA／νBA＋θgF C×φC／νC)であり、
νefn =1／(ft×(φBA／νBA＋φC／νC))、
θgFBA =fBA×νBA×（θgFA×φA／νdA+θgFB×φB／νB）、
νBA =1／(fBA×(φA／νdA＋φB／νB))、
1／fBA=1／fA+1／fB、
φA =1／fA、
φB =1／fB、
φC =1／fC、
φBA =1／fBA、
である。
【００１１】
また、本発明の第２の態様の結像光学系は、物体側より像側へ順に、正の屈折力を有する第１レンズ群と、負の屈折力を有する第２レンズ群と、正の屈折力を有する像側レンズ群を有し、ズーミング時に前記第１レンズ群と前記第２レンズ群との間隔が変化する結像光学系において、前記第１レンズ群内に正の屈折力を有する屈折光学素子Aが位置し、以下の条件式（４−１）、（４−２）および（２）を満足することを特徴とする。
νdA＜30           …（４−１）
0.54＜θｇFA＜0.9  …（４−２）
｜G1／G2｜＞6.4   …（２）
ここで、
ｎｄA、ｎCA、ｎFA、ｎgAは、各々前記屈折光学素子Aのｄ線、Ｃ線、Ｆ線、ｇ線に対する屈折率、
νdAは前記屈折光学素子Aのアッベ数(ndA-1)/(nFA-nCA)、
θgFAは前記屈折光学素子Aの部分分散比（ｎgA−ｎFA)／（ｎFA−ｎCA）、
G1は前記第１レンズ群の焦点距離、
G2は前記第２レンズ群の焦点距離、
である。
【００１２】
また、第１の態様の結像光学系は、以下の条件式（２）を満足することを特徴とする。
｜G1/G2｜＞6.4    …(２)
ここで、
G1は前記第１レンズ群の焦点距離、
G2は前記第２レンズ群の焦点距離、
である。
【００１３】
また、第１及び第２の態様の結像光学系は、以下の条件式（６）を満足することを特徴とする。
0.4＜θｈｇA＜1.2  …（６）
ここで、
θｈｇAは前記屈折光学素子Aのh線の部分分散比（ｎhA−ｎgA）／（ｎFA−ｎCA）、
ｎhAは前記屈折光学素子Aのｈ線に対する屈折率、
である。
【００１４】
また、第１及び第２の態様の結像光学系は、前記第２レンズ群と前記第３レンズ群の間に絞りを有し、前記正の屈折力の第３レンズ群に続いて、正の屈折力の第４レンズ群、正の屈折力の第５レンズ群を有し、望遠端における各レンズ群の間隔が、広角端に比して、前記第１レンズ群と前記第２レンズ群の間隔が大きく、前記第２レンズ群と前記第３レンズ群の間隔が小さく、前記第３レンズ群と前記第４レンズ群の間隔が大きく、前記第４レンズ群と前記第５レンズ群の間隔が小さくなるように、隣接するレンズ群の間隔を変化させてズーミングを行うことを特徴とする。
【００１５】
また、第１及び第２の態様の結像光学系は、以下の条件式（７）を満足することを特徴とする。
|fB/fA|>0.15  …（７）
【００１６】
また、第１及び第２の態様の結像光学系は、以下の条件式（８）を満足することを特徴とする。
0＜θgFB−θgFBA＜0.15  …（８）
【００１７】
また、第１及び第２の態様の結像光学系は、以下の条件式（９）を満足することを特徴とする。
2.0＜fA／G1＜7.0  …（９）
ここで、
G1は前記第１レンズ群の焦点距離、
である。
【００１８】
また、第１及び第２の態様の結像光学系は、以下の条件式（１０）を満足することを特徴とする。
−26＜(Ra+Rb)/（Ra-Rb）＜-0.5  …（１０）
ここで、
Raは前記屈折光学素子Aの物体側の曲率、
Rbは前記屈折光学素子Aの像面側の曲率、
である。
【００１９】
また、本発明の第１の態様の撮像装置は、結像光学系と撮像素子を有する撮像装置において、前記結像光学系は、物体側より像側へ順に、正の屈折力を有する第１レンズ群と、負の屈折力を有する第２レンズ群と、正の屈折力を有する像側レンズ群を有し、ズーミング時に前記第１レンズ群と前記第２レンズ群との間隔が変化し、前記第１レンズ群内に正の屈折力を有する屈折光学素子Aが位置し、前記屈折光学素子Aが以下の条件式（３−２）を満たすことを特徴とする。
0＜(Zb(3.3a)-Za(3.3a))/(Zb(2.5a)-Za(2.5a))<0.895  …（３−２）
ここで、
ｆｗは前記結像光学系の広角端での焦点距離、
ｆｔは前記結像光学系での望遠端での焦点距離、
IHは前記撮像素子上での最大像高、
Za(h)は、前記屈折光学素子Aの光軸上での物体側面頂と、物体側の高さhでの位置との光軸方向の距離、
Zb(h)は、前記屈折光学素子Aの光軸上での物体側面頂と、像面側の高さhでの位置との光軸方向の距離、
aは、次式（３−１）で定義する値である。
a=(IH2×log10(ft/fw) )/ fw  …（３−１）
【００２０】
また、本発明の第２の態様の撮像装置は、結像光学系と撮像素子を有する撮像装置において、前記結像光学系は請求項１から請求項９の何れか１項に記載の結像光学系であって、条件式（３−２）を満たすことを特徴とする。
0＜(Zb(3.3a)-Za(3.3a))/(Zb(2.5a)-Za(2.5a))<0.895  …（３−２）
ここで、
ｆｗは前記結像光学系の広角端での焦点距離、
ｆｔは前記結像光学系での望遠端での焦点距離、
IHは前記撮像素子上での最大像高、
Za(h)は、前記屈折光学素子Aの光軸上での物体側面頂と、物体側の高さhでの位置との光軸方向の距離、
Zb(h)は、前記屈折光学素子Aの光軸上での物体側面頂と、像面側の高さhでの位置との光軸方向の距離、
aは、次式（３−１）で定義する値である。
a=(IH2×log10(ft/fw) )/ fw  …（３−１）
【００２１】
また、第１及び第２の態様の撮像装置は、以下の条件式（５ａ）又は条件式（５ｂ）を満足することを特徴とする。
0.20<(Tnglw(0.7)/Tbasw(0.7))/(Tngl(0)/Tbas(0))<0.65  …（５a）
0.10<(Tnglw(0.9)/Tbasw(0.9))/(Tngl(0)/Tbas(0))<0.45  …（５b）
ここで、
Tngl(0)は前記屈折光学素子Aの軸上の中肉厚、
Ｔnglw（0.7）は、広角端における前記撮像素子上での最大光線高に対し70％の光線高の光線が前記屈折光学素子A内を通過する長さ、
Ｔnglw（0.9）は、広角端における前記撮像素子上での最大光線高に対し90％の光線高の光線が前記屈折光学素子A内を通過する長さ、
Tbas(0)は前記光学素子Bの軸上の中肉厚、
Ｔbasw（0.7）広角端における前記撮像素子上での最大光線高に対し70％の光線高の光線が前記光学素子B内を通過する長さ、
Ｔbasw（0.9）は、広角端における前記撮像素子上での最大光線高に対し90％の光線高の光線が前記光学素子B内を通過する長さ、
である。
【００２２】
また、第１及び第２の態様の撮像装置は、以下の条件式（１１−１a）、（１１−１ｂ）、（１１−１ｃ）、（１１−２a）、（１１−２ｂ）のいずれかを満足することを特徴とする。
0.4＜Tngl(0)／Tbas(0)＜2.4  …（１１−１a）
0.2＜Tnglt(0.7)／Tbast(0.7)＜1.5  …（１１−１b）
0.1＜Tnglt(0.9)／Tbast(0.9)＜1.1  …（１１−１c）
0.2<(Tnglt(0.7)/Tbast(0.7))/(Tngl(0)/Tbas(0))<0.85  …（１１−２a）
0.2<(Tnglt(0.9)/Tbast(0.9))/(Tngl(0)/Tbas(0))<0.75  …（１１−２b）
ここで、
Tngl(0)は前記屈折光学素子Aの軸上の中肉厚、
Ｔnglt（0.7）は、望遠端における前記撮像素子上での最大光線高に対し70％の光線高の光線が前記屈折光学素子A内を通過する長さ、
Ｔnglt（0.9）は、望遠端における前記撮像素子上での最大光線高に対し90％の光線高の光線が前記屈折光学素子A内を通過する長さ、
Tbaso(0)は前記光学素子Bの軸上の中肉厚、
Ｔbasto（0.7）は、望遠端における前記撮像素子上での最大光線高に対し70％の光線高の光線が前記光学素子B内を通過する長さ、
Ｔbasto（0.9）は、望遠端における前記撮像素子上での最大光線高に対し90％の光線高の光線が前記光学素子B内を通過する長さ、
である。
【００２３】
また、第１及び第２の態様の撮像装置は、以下の条件式（１２ａ）又は条件式（１２ｂ）を満足することを特徴とする。
0.5<(Tnglw(0.7) /(Tngl(0))<0.9  …（１２a）
0.3<(Tnglw(0.9)/(Tngl(0))<0.8  …（１２b）
ここで、
Tngl(0)は前記屈折光学素子Aの軸上の中肉厚、
Ｔnglw（0.7）は、広角端における前記撮像素子上での最大光線高に対し70％の光線高の光線が前記屈折光学素子A内を通過する長さ、
Ｔnglw（0.9）は、広角端における前記撮像素子上での最大光線高に対し90％の光線高の光線が前記屈折光学素子A内を通過する長さ、
である。
【００２４】
また、第１及び第２の態様の撮像装置は、以下の条件式（１３ａ）又は条件式（１３ｂ）を満足することを特徴とする。
0.5<(Tnglt(0.7) /(Tngl(0))<0.95  …（１３a）
0.4<(Tnglt(0.9)/(Tngl(0))<0.93  …（１３b）
ここで、
Tngl(0)は前記屈折光学素子Aの軸上の中肉厚、
Ｔnglt（0.7）は、望遠端における前記撮像素子上での最大光線高に対し70％の光線高の光線が前記屈折光学素子A内を通過する長さ、
Ｔnglt（0.9）は、望遠端における前記撮像素子上での最大光線高に対し90％の光線高の光線が前記屈折光学素子A内を通過する長さ、
である。
【００２５】
また、第１及び第２の態様の撮像装置は、以下の条件式（１４−１a）、（１４−１ｂ）、（１４−１ｃ）のいずれかを満足することを特徴とする。
0.4＜Tngl(0)／Tbas(0)＜2.4  …（１４−１a）
0.2＜Tnglw(0.7)／Tbasw(0.7)＜0.9  …（１４−１b）
0.1＜Tnglw(0.9)／Tbasw(0.9)＜0.65  …（１４−１c）
ここで、
Tngl(0)は前記屈折光学素子Aの軸上の中肉厚、
Ｔnglw（0.7）は、広角端における前記撮像素子上での最大光線高に対し70％の光線高の光線が前記屈折光学素子A内を通過する長さ、
Ｔnglw（0.9）は、広角端における前記撮像素子上での最大光線高に対し90％の光線高の光線が前記屈折光学素子A内を通過する長さ、
Tbas(0)は前記光学素子Bの軸上の中肉厚、
Ｔbasw（0.7）は、広角端における前記撮像素子上での最大光線高に対し70％の光線高の光線が前記光学素子B内を通過する長さ、
Ｔbasw（0.9）は、広角端における前記撮像素子上での最大光線高に対し90％の光線高の光線が前記光学素子B内を通過する長さ、
である。
【発明の効果】
【００２６】
本発明にかかる結像光学系及び電子撮像装置は、全ズーム範囲にわたって２次スペクトルが低減され、広角端が広画角で高ズーム比の結像光学系及びそれを用いた撮像装置（電子撮像装置）を実現することができる。
【図面の簡単な説明】
【００２７】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】本発明の実施例２にかかるズームレンズの（ａ）は広角端、（ｂ）は中間、（ｃ）は望遠端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、（a）は広角端、（b）は中間、（c）は望遠端での状態を示している。
【図５】本発明の実施例３にかかるズームレンズの（ａ）は広角端、（ｂ）は中間、（ｃ）は望遠端における無限遠物点合焦時の光学構成を示す光軸に沿う断面図である。
【図６】実施例３にかかるズームレンズの無限遠物点合焦時における球面収差、非点収差、歪曲収差、倍率色収差を示す図であり、（a）は広角端、（b）は中間、（c）は望遠端での状態を示している。
【図７】本発明の実施例４にかかるズームレンズの（ａ）は広角端、（ｂ）は中間、（ｃ）は望遠端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、（a）は広角端、（b）は中間、（c）は望遠端での状態を示している。
【図９】本発明の実施例５にかかるズームレンズの（ａ）は広角端、（ｂ）は中間、（ｃ）は望遠端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１１】本発明の実施例６にかかるズームレンズの（ａ）は広角端、（ｂ）は中間、（ｃ）は望遠端における無限遠物点合焦時の光学構成を示す光軸に沿う断面図である。
【図１２】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１３】本発明の実施例７にかかるズームレンズの（ａ）は広角端、（ｂ）は中間、（ｃ）は望遠端における無限遠物点合焦時の光学構成を示す光軸に沿う断面図である。
【図１４】実施例７にかかるズームレンズの無限遠物点合焦時における球面収差、非点収差、歪曲収差、倍率色収差を示す図であり、（a）は広角端、（b）は中間、（c）は望遠端での状態を示している。
【図１５】本発明の実施例８にかかるズームレンズの（ａ）は広角端、（ｂ）は中間、（ｃ）は望遠端における無限遠物点合焦時の光学構成を示す光軸に沿う断面図である。
【図１６】実施例８にかかるズームレンズの無限遠物点合焦時における球面収差、非点収差、歪曲収差、倍率色収差を示す図であり、（a）は広角端、（b）は中間、（c）は望遠端での状態を示している。
【図１７】本発明の実施例９にかかるズームレンズの（ａ）は広角端、（ｂ）は中間、（ｃ）は望遠端における無限遠物点合焦時の光学構成を示す光軸に沿う断面図である。
【図１８】実施例９にかかるズームレンズの無限遠物点合焦時における球面収差、非点収差、歪曲収差、倍率色収差を示す図であり、（a）は広角端、（b）は中間、（c）は望遠端での状態を示している。
【図１９】本発明の実施例１０にかかるズームレンズの（ａ）は広角端、（ｂ）は中間、（ｃ）は望遠端における無限遠物点合焦時の光学構成を示す光軸に沿う断面図である。
【図２０】実施例１０にかかるズームレンズの無限遠物点合焦時における球面収差、非点収差、歪曲収差、倍率色収差を示す図であり、（a）は広角端、（b）は中間、（c）は望遠端での状態を示している。
【図２１】本発明の実施例１１にかかるズームレンズの（ａ）は広角端、（ｂ）は中間、（ｃ）は望遠端における無限遠物点合焦時の光学構成を示す光軸に沿う断面図である。
【図２２】実施例１１にかかるズームレンズの無限遠物点合焦時における球面収差、非点収差、歪曲収差、倍率色収差を示す図であり、（a）は広角端、（b）は中間、（c）は望遠端での状態を示している。
【図２３】本発明の実施例１２にかかるズームレンズの（ａ）は広角端、（ｂ）は中間、（ｃ）は望遠端における無限遠物点合焦時の光学構成を示す光軸に沿う断面図である。
【図２４】実施例１２にかかるズームレンズの無限遠物点合焦時における球面収差、非点収差、歪曲収差、倍率色収差を示す図であり、（a）は広角端、（b）は中間、（c）は望遠端での状態を示している。
【図２５】本発明によるズームレンズを組み込んだデジタルカメラ４０の外観を示す前方斜視図である。
【図２６】デジタルカメラ４０の後方斜視図である。
【図２７】デジタルカメラ４０の光学構成を示す断面図である。
【図２８】本発明のズームレンズが対物光学系として内蔵された情報処理装置の一例であるパソコン３００のカバーを開いた状態の前方斜視図である。
【図２９】パソコン３００の撮影光学系３０３の断面図である。
【図３０】パソコン３００の側面図である。
【図３１】本発明のズームレンズが撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００２８】
実施例の説明に先立ち、本実施形態の結像光学系の作用効果について説明する。    
＜実効部分分散比についての説明＞
まず、１つの光学素子におけるアッベ数と部分分散比は次の通りである。
νd＝(nd-1)/(nF-nC)
θｇF＝(ng-nF)/(nF-nC)
θｈｇ＝(nh-ng)/(nF-nC)
ここで、
ｎｄ、ｎC、ｎF、ｎg、ｎhは、各々光学素子の波長587.6nm（ｄ線）、波長656.3nm（Ｃ線）、波長486.1nm（Ｆ線）、波長435.8nm（ｇ線）、波長404.7nm（ｈ線）に対する屈折率、
νdは光学素子のアッベ数、
θｇFはｇ線とＦ線に関する光学素子の部分分散比、
θｈｇはｈ線とｇ線に関する光学素子の部分分散比、
である。
【００２９】
次に、２つの光学素子を接合した接合光学素子について説明する。この接合光学素子（２枚接合）を１枚の光学素子と見なしたときの実効部分分散比θｇ21は以下の式から求めることができる。
θgF 21 =f21×ν21×（θgF1×φ1／νd1+θgF 2×φ2／ν2）               …(A)
ここで、
f21は２つの光学素子の合成焦点距離、
ν21は２つの光学素子を１つの光学素子と見なした場合のアッベ数、
θgF1は一方の光学素子の部分分散比、
φ1は一方の光学素子のパワー、
νd1は一方の光学素子のアッベ数、
θgF 2は他方の光学素子の部分分散比、
φ2は他方の光学素子のパワー、
ν2は他方の光学素子のアッベ数、
である。なお、
f21、ν21、φ1及びφ2は、それぞれは以下の式で表される。
1／f21=1／f1+1／f2
ν21 =1/(f21×(φ1／νd1＋φ2／ν2))
φ1=1／f1
φ2=1／f2
ここで、
f1は一方の光学素子の焦点距離、
f2は他方の光学素子の焦点距離、
である。
【００３０】
３つの光学素子を接合した接合光学素子については、一方の光学素子を２つの光学素子が接合された光学素子、他方を残りの１つの光学素子と見なせばよい。この場合、接合光学素子（３枚接合）を１枚の光学素子と見なしたときの実効部分分散比θｇ321は、式(A)から以下のようになる。
θgF 321 =f321×ν321×（θgF21×φ21／νd21+θgF 3×φ3／ν3）          …(B)
ここで、
f321は３つの光学素子の合成焦点距離、
ν321は３つの光学素子を１つの光学素子と見なした場合のアッベ数、
θgF21は一方の光学素子（２枚接合光学素子）の部分分散比、
φ21は一方の光学素子（２枚接合光学素子）のパワー、
νd21は一方の光学素子（２枚接合光学素子）のアッベ数、
θgF3は他方の光学素子の部分分散比、
φ3は他方の光学素子のパワー、
ν3は他方の光学素子のアッベ数、
である。
なお、以下の説明において、部分分散比は、特に限定がない限り、ｇ線とＦ線に関する部分分散比のことである。
【００３１】
第１実施形態の結像光学系は、物体側より像側へ順に、正の屈折力を有する第１レンズ群、負の屈折力を有する第２レンズ群、正の屈折力を有する像側レンズ群を有し、ズーミング時に前記第１レンズ群と前記第２レンズ群との間隔が変化する結像光学系において、第１レンズ群内に接合光学素子Dを設け、接合光学素子Dは、物体側に位置する光学素子Bと像側に位置する光学素子Cとの間に、正の屈折力を有する屈折光学素子Aが位置するように構成され、接合光学素子Dより物体側に、正の屈折力を有する光学素子が少なくとも１枚存在し、下記の条件式（４−１）、条件式（４−２）および条件式（４−３）を満たす光学系である。
νdA＜30            …（４−１）
0.54＜θｇFA＜0.9   …（４−２）
0.4＜θｇFｎ＜0.9   …（４−３）
ここで、
ｎｄA、ｎCA、ｎFA、ｎgAは、各々前記屈折光学素子Aのｄ線、Ｃ線、Ｆ線、ｇ線に対する屈折率、
ｎｄB、ｎCB、ｎFB、ｎgBは、各々前記光学素子Bのｄ線、Ｃ線、Ｆ線、ｇ線に対する屈折率、
ｎｄC、ｎCC、ｎFC、ｎgCは、各々前記光学素子Cのｄ線、Ｃ線、Ｆ線、ｇ線に対する屈折率、
νdAは前記屈折光学素子Aのアッベ数(ndA-1)/(nFA-nCA)、
νdBは前記光学素子Bのアッベ数(ndB-1)/(nFB-nCB)、
νdCは前記光学素子Cのアッベ数(ndC-1)/(nFC-nCC)、
νBAは前記屈折光学素子Aと前記光学素子Bを１枚の光学素子と見なしたときのアッベ数、
θgFAは前記屈折光学素子Aの部分分散比（ｎgA−ｎFA)／（ｎFA−ｎCA）、
θgFBは前記屈折光学素子Bの部分分散比（ｎgB−ｎFB)／（ｎFB−ｎCB）、
θgFCは前記屈折光学素子Cの部分分散比（ｎgC−ｎFC)／（ｎFC−ｎCC）、
θgFBAは、前記屈折光学素子Aと前記光学素子Bを１枚の光学素子と見なしたときの実効部分分散比、
fAは前記屈折光学素子Aの焦点距離、
fBは前記光学素子Bの焦点距離、
fCは前記光学素子Cの焦点距離、
fBAは前記光学素子Bと前記屈折光学素子Aとの合成焦点距離、
ftは前記屈折光学素子Aと前記光学素子Bと前記光学素子Cの合成焦点距離、
θｇFnは前記接合光学素子Dの実効部分分散比ft×νefn×(θgFBA×φBA／νBA＋θgF C×φC／νC)であり、
νefn =1／(ft×(φBA／νBA＋φC／νC))、
θgFBA =fBA×νBA×（θgFA×φA／νdA+θgFB×φB／νB）、
νBA =1／(fBA×(φA／νdA＋φB／νB))、
1／fBA=1／fA+1／fB、
φA =1／fA、
φB =1／fB、
φC =1／fC、
φBA =1／fBA、
である。
【００３２】
第１レンズ群が正の屈折力を有する結像光学系では、第１レンズ群で発生した収差が第２レンズ群以降で拡大される。そのため、光学系全体の光学性能が悪化する。特に望遠端では、色収差が悪化する。つまり、光学性能を高く維持もしくは向上させるためには、第１レンズ群で色収差を良好に補正しておくことが重要となる。そこで、本実施形態の結像光学系では、正の屈折力を有する屈折光学素子Aを第１レンズ群に配置し、条件式（４−１）、（４−２）を満たすようにしている。このようにすることで、第１レンズ群で発生する色収差、特に２次スペクトルを低減している。
【００３３】
加えて、屈折光学素子Aが、物体側に位置する光学素子Bと像側に位置する光学素子Cとの間に位置し、これらが接合されて接合光学素子Dを構成している。そして、正の屈折力を有する少なくとも１枚の光学素子より像側に、接合光学素子Dが位置するようにしている。さらに、条件式（４−３）を満たすようにしている。これにより、接合光学素子素子Dを使った２次スペクトルの補正が良好に行える。その結果、色収差が改善され、これに伴う光学性能の向上が達成される。なお、接合光学素子素子Dは正の屈折力を有している。
【００３４】
なお、屈折光学素子Aと光学素子Bを接合すると、２枚接合の光学素子（２枚接合光学素子）ができる。この２枚接合光学素子は１つの光学素子とみなすことができる。この場合、この２枚接合光学素子の部分分散比（実効部分分散比）、すなわち、２枚接合光学素子を１つの光学素子とみなしたときの部分分散比は、屈折光学素子A単独の部分分散比や光学素子B単独の部分分散比と異なる。条件式（４−３）を満たすためには、２枚接合光学素子の部分分散比を、光学素子B単体の部分分散比より小さくさせる必要がある。
【００３５】
条件式（４−１）の上限を上回ると、第１レンズ群にて１次の色消しが困難となる。その結果、広角端及び望遠端の解像力が低下し、性能が悪化するため望ましくない。条件式（４−２）の上限を上回ると、第１レンズ群にて２次スペクトルの補正が過剰となるため、望遠端で軸上色収差及び倍率色収差が悪化する。その結果、２次スペクトルによる色にじみが発生し、性能が悪化するため望ましくない。
【００３６】
他方、条件式（４−１）、（４−２）の下限を下回ると、屈折光学素子Aの屈折力が強くなる。このため、望遠端で球面収差、広角端で倍率色収差が悪化する。その結果、解像力の低下及び色にじみが発生し、性能が悪化するため望ましくない。
【００３７】
条件式（４−３）の上限を上回ると、屈折光学素子Aの正の屈折力が減少するか、もしくは屈折光学素子Aが負の屈折力を有する。屈折光学素子Aの正の屈折力が減少する場合、２枚接合光学素子の部分分散比と光学素子B単体の部分分散比との差が小さくなる。そのため、接合光学素子Dにおける２次スペクトルの補正効果が小さくなるので、望ましくない。
【００３８】
屈折光学素子Aが負の屈折力を有する場合、２枚接合光学素子の部分分散比の方が光学素子B単体の部分分散比より大きくなる。そのため、接合光学素子Dにおける２次スペクトルの補正効果は生じなくなる。これは、むしろ接合光学素子Dで２次スペクトルを発生させていることになる。その結果、色にじみが増大するので望ましくない。
【００３９】
また、条件式（４−３）の下限を下回ると、屈折光学素子Aの正の屈折力が大きくなるので、光学素子B単体の部分分散比に対する２枚接合光学素子の部分分散比の低下量が大きくなる。この場合、接合光学素子Dにおける２次スペクトルの補正効果が過剰となるの。これは、むしろ接合光学素子Dで２次スペクトルを発生させていることになる。その結果、色にじみが増大するので望ましくない。
【００４０】
第２実施形態の結像光学系は、物体側より像側へ順に、正の屈折力を有する第１レンズ群、負の屈折力を有する第２レンズ群、正の屈折力を有する像側レンズ群を有し、ズーミング時に第１レンズ群と第２レンズ群との間隔が変化する結像光学系において、第１レンズ群内に正の屈折力を有する屈折光学素子Aが位置し、以下の条件式（４−１）、（４−２）、（２）を満足する光学系である。
νd＜30           …（４−１）
0.54＜θｇF＜0.9  …（４−２）
｜G1／G2｜＞6.4   …（２）
ここで、
ｎｄA、ｎCA、ｎFA、ｎgAは、各々前記屈折光学素子Aのｄ線、Ｃ線、Ｆ線、ｇ線に対する屈折率、
νdAは前記屈折光学素子Aのアッベ数(ndA-1)/(nFA-nCA)、
θgFAは前記屈折光学素子Aの部分分散比（ｎgA−ｎFA)／（ｎFA−ｎCA）、
G1は前記第１レンズ群の焦点距離、
G2は前記第２レンズ群の焦点距離、
である。
【００４１】
第１レンズ群が正の屈折力を有する結像光学系にて高倍率を達成するためには、第２レンズ群の負の屈折力を強くする必要がある。一方で、第２レンズ群の負の屈折力を強くすると、第１レンズ群で発生した収差が第２レンズ群以降で拡大される。そのため、光学系全体の光学性能が悪化する。特に望遠端では、色収差が悪化する。つまり、光学性能を高く維持もしくは向上しつつズーム比を向上させるためには、第１レンズ群で色収差を良好に補正しておくことが重要となる。
【００４２】
そこで、本実施形態の結像光学系では、正の屈折力を有する屈折光学素子Aを第１レンズ群に配置し、条件式（１−１）、（１−２）を満たすようにしている。このようにすることで、第１レンズ群で発生する色収差を低減することが可能となる。そして、条件式（１−１）、（１−１）を満たしつつ、さらに条件式（２）を満たすことで、色収差が補正された高性能かつ高ズーム比を有する結像光学系を達成することができる。
【００４３】
条件式（１−１）の上限を上回ると、第１レンズ群にて１次の色消しが困難となる。その結果、広角端及び望遠端の解像力が低下し、性能が悪化するため、高ズーム比の結像光学系を達成できなくなる。
【００４４】
条件式（１−２）の上限を上回ると、第１レンズ群にて２次スペクトルの補正が過剰となるため、望遠端で軸上色収差及び倍率色収差が悪化する。その結果、２次スペクトルによる色にじみが発生し、性能が悪化するため、高ズーム比の結像光学系を達成できなくなる。
【００４５】
他方、条件式（１−１）、（１−２）の下限を下回ると、屈折光学素子Aの屈折力が強くなるため、望遠端では球面収差、広角端では倍率色収差が悪化する。その結果、解像力の低下及び色にじみが発生し、性能が悪化するので、高ズーム比の結像光学系を達成できなくなる。
【００４６】
条件式（２）の下限を下回ると、結像光学系で変倍作用を有する第１レンズ群と第２レンズ群の屈折力の比が小さくなる。ここで、第１レンズ群と第２レンズ群は、変倍作用を有するレンズ群であるため、変倍比が小さくなる。したがって、高ズーム比を有する結像光学系を達成することが困難となる。さらに、第１レンズ群と第２レンズ群の屈折力の比が小さくなる場合、負の屈折力に関して、第２レンズ群の結像光学系全体に対する寄与が小さくなる。このため、ペッツバール和が結像光学系全体で正となる。したがって、像面湾曲が発生し性能が低下するため望ましくない。
【００４７】
また、第１の態様の結像光学系は、以下の条件式（２）を満足する光学系である。
｜G1/G2｜＞6.4    …(２)
ここで、
G1は前記第１レンズ群の焦点距離、
G2は前記第２レンズ群の焦点距離、
である。
【００４８】
条件式（２）についての効果は上記のとおりである。
【００４９】
また、上記の各実施形態の結像光学系は、条件式（６）を満足することが好ましい
0.4＜θｈｇA＜1.2  …（６）
ここで、
θｈｇAは前記屈折光学素子Aのh線の部分分散比（ｎhA−ｎgA）／（ｎFA−ｎCA）、
ｎhAは前記屈折光学素子Aのｈ線に対する屈折率、
である。
【００５０】
結像性能の向上には色収差の補正が必要となる。アッベ数は１次の色消し、部分分散比は２次スペクトルに関係する。特に、部分分散比は、結像性能のうちの色にじみの発生に関係する。ここで色にじみとは、輝度差の激しい明暗部の境界に被写体にない色が発生する現象である。
【００５１】
１次の色消しと色にじみの改善について、最適なアッベ数及び部分分散比を有する光学材料は存在する。このような光学材料を屈折光学素子に用いることで、結像性能を向上させることは可能である。しかし、部分分散比のみ考慮した屈折光学素子を用いるだけでは、色にじみに関して十分な補正はできない。アッベ数及び部分分散比と併せてｈ線(404nm)の補正も考慮した屈折光学素子でなければ、色にじみを十分に補正できない。
【００５２】
そこで、本実施形態の結像光学系では、条件式（６）を満たすことが望ましい。
【００５３】
条件式（６）を満たすことで、色にじみのさらなる低減を行うことできるので、結像性能の向上を実現できる。条件式（６）の上限を上回ると、過剰にｈ線を補正してしまう。この場合、逆に色にじみが目立つ状態となるため望ましくない。一方、下限を下回ると、ｈ線の補正が不足になる。この場合、色にじみが目立つ状態となるため望ましくない。
【００５４】
また、上記の各実施形態の結像光学系は、第２レンズ群と第３レンズ群の間に絞りを有し、第３レンズ群に続いて、正の屈折力の第４レンズ群、正の屈折力の第５レンズ群を有し、望遠端における各レンズ群の間隔が、広角端に比して、第１レンズ群と第２レンズ群の間隔が大きく、第２レンズ群と第３レンズ群の間隔が小さく、第３レンズ群と第４レンズ群の間隔が大きく、第４レンズ群と第５レンズ群の間隔が小さくなるように、隣接するレンズ群の間隔を変化させてズーミングを行うことが好ましい。
【００５５】
このように、実施形態の結像光学系では、光学系を５群で構成し、ズームの際に各レンズ群が移動を行うようにしている。このようにすることで、各ズーム状態間での明るさの変動を抑えることが可能となる。さらに、第１レンズ群で色収差を主に補正し、第２レンズ群で高ズーム比にすることで、第３レンズ群以降は単色収差の補正を主に行うことが可能となる。
【００５６】
また、上記の各実施形態の結像光学系は、条件式（７）を満足することが好ましい。
|fB/fA|>0.15  …（７）
ここで、
fAは屈折光学素子Aの焦点距離、 
fbは光学素子Bの焦点距離、
である。
【００５７】
条件式（７）を満足することで、光学素子Bを単独で使用するときに比べて、一層２次スペクトルを補正することができる。このため、色収差が改善されるので、それに伴い光学系の光学性能の向上が達成される。
【００５８】
条件式（７）の下限を下回ると、屈折光学素子Aの正の屈折力が減少するため、光学素子Bの部分分散比に対する２枚接合光学素子の部分分散比の低下量が小さくなる。この場合、光学素子Bの部分分散比と２枚接合光学素子としての部分分散比との差が少なくなる。その結果、２枚接合光学素子を使って３枚接合素子Dを構成しても、３枚接合素子Dによる２次スペクトルの補正効果が小さくなるため、望ましくない。
【００５９】
また、上記の各実施形態の結像光学系は、条件式（８）を満足することが好ましい。
0＜θgFB−θgFBA＜0.15  …（８）
ここで、
θgFBは、光学素子Bの部分分散比（ｎgB−ｎFB)／（ｎFB−ｎCB）、
θgFBAは、屈折光学素子Aと光学素子Bとを接合した際の２枚接合光学素子としての実効部分分散比であって、下記の式で表され、
θgFBA =fBA×νBA×（θgF×φA／νd+θgFB×φB／νB）、
fBAは、1／fBA =1／fA +1／fBで表され、
νBAは２枚接合光学素子を１枚の光学素子と仮想したときのアッベ数νBA =1/(fBA×(φA／νd＋φB／νB))で表され、
fAは屈折光学素子Aの焦点距離、
φAは屈折光学素子Aの屈折力、
fBは光学素子Bの焦点距離、
φBは光学素子Bの屈折力、
νBは光学素子Bのアッベ数(ndB-1)/(nFB-nCB)、
θgFは屈折光学素子Aの部分分散比（ｎgA−ｎFA)／（ｎFA−ｎCA）、
νdは屈折光学素子Aのアッベ数(ndA-1)/(nFA-nCA)、
ｎｄA、ｎCA、ｎFA、ｎgAは、各々屈折光学素子Aのｄ線、Ｃ線、Ｆ線、ｇ線に対する屈折率、
ｎｄB、ｎCB、ｎFB、ｎgBは、各々光学素子Bのｄ線、Ｃ線、Ｆ線、ｇ線に対する屈折率、
である。
【００６０】
上記のように、光学素子Bを単独で使用するよりも、２枚接合光学素子として利用するほうが好ましい。このようにすることで、より一層２次スペクトルが補正される。この結果、色にじみの改善に伴う性能の向上が達成される。
【００６１】
条件式（８）の上限を上回ると、２次スペクトルの過剰補正に伴う色にじみが発生するため望ましくない。一方、条件式（８）の下限を下回ると、光学素子B単体の部分分散比（θgFB）よりも２枚接合光学素子の部分分散比（θgFBA）の方が大きくなる。つまり、屈折光学素子Aにより２次スペクトルを発生させていることになる。そのため、結果として接合前より色にじみが増大してしまうので望ましくない。
【００６２】
また、上記の各実施形態の結像光学系は、条件式（９）を満足することが好ましい。
2.0＜fA／G1＜7.0  …（９）
ここで、
fAは屈折光学素子Aの焦点距離、
G1は第１レンズ群の焦点距離、
である。
【００６３】
高性能を維持もしくは向上させるためには、第１レンズ群で色収差補正を行うことが重要となる。そこで、条件式（９）を満たすと、特に２次スペクトルの補正が良好に行えるので、色にじみを改善することができる。
【００６４】
条件式（９）の上限を上回ると、屈折光学素子Aでの屈折力が弱くなる。この場合、２枚接合光学素子の部分分散比を光学素子B単体の部分分散比よりも低下させることが困難になる。その結果、２次スペクトルの補正不足に伴う色にじみが生じるため望ましくない。
【００６５】
一方、条件式（９）の下限を下回ると、屈折光学素子Aでの屈折力が強くなる。この場合、２枚接合光学素子の部分分散比を光学素子B単体の部分分散比よりも低下させることができる。しかしながら、２次スペクトルを過剰補正することになる。つまり、屈折光学素子Aによって２次スペクトルを発生させていることになる。このため、結果として色にじみが増大し望ましくない。
【００６６】
また、上記の各実施形態の結像光学系は、条件式（１０）を満足することが好ましい。
−26＜(Ra+Rb)/（Ra-Rb）＜-0.5  …（１０）
ここで、
Raは屈折光学素子Aの物体側の曲率、
Rbは屈折光学素子Aの像面側の曲率、
である。
【００６７】
条件式（１０）の上限を上回ると、望遠端において球面収差が負の方向に大きくなる。また、条件式（１０）の下限を下回ると、球面収差が正の方向に大きくなる。いずれの場合も結像性能が低下するため望ましくない。
【００６８】
第１実施形態の撮像装置は、結像光学系と撮像素子を有する撮像装置において、前記結像光学系は、物体側より像側へ順に、正の屈折力を有する第１レンズ群と、負の屈折力を有する第２レンズ群と、正の屈折力を有する像側レンズ群を有し、ズーミング時に前記第１レンズ群と前記第２レンズ群との間隔が変化し、前記第１レンズ群内に正の屈折力を有する屈折光学素子Aが位置し、前記屈折光学素子Aが以下の条件式（３−２）を満たす撮像装置である。
0＜(Zb(3.3a)-Za(3.3a))/(Zb(2.5a)-Za(2.5a))<0.895  …（３−２）
ここで、
ｆｗは前記結像光学系の広角端での焦点距離、
ｆｔは前記結像光学系での望遠端での焦点距離、
IHは前記撮像素子上での最大像高、
Za(h)は、前記屈折光学素子Aの光軸上での物体側面頂と、物体側の高さhでの位置との光軸方向の距離、
Zb(h)は、前記屈折光学素子Aの光軸上での物体側面頂と、像面側の高さhでの位置との光軸方向の距離、
aは、次式（３−１）で定義する値である。
a=(IH2×log10(ft/fw) )/ fw  …（３−１）
【００６９】
本実施形態の撮像装置では、正の屈折力を有する屈折光学素子Aが第１レンズ群内に位置している。この屈折光学素子A内を透過する光線は、画角やズーム状態によって素子内を通過する距離や通過位置が異なる。そのため、屈折光学素子Aの形状が一定であっても、画角やズーム状態で屈折光学素子Aでの収差補正効果が異なる。
そのため、全ズーム範囲にわたって良好な収差の状態にするためには、屈折光学素子Aの形状が画角、ズーム比及び像高を考慮したものであることが必要となる。
【００７０】
絞りからの距離Lにおいて最大像高へ入射する主光線の光線高をaとすると、aは以下のように表される。
a=L×IH/fw
ここで、
tan(画角)=IH/fw、
L∝IH×log10(ft/fw)
とすることができる。そして、mを比例係数とすると、条件式（３−１）となる。
【００７１】
光線高と画角、ズーム比及び像高とは、条件式（３−１）の関係を有する。そこで、本実施形態の結像光学系は、条件式（３−２）を満たすことが望ましい。
【００７２】
ここで、正の屈折力を有する第１レンズ群で求められることは、広角端での倍率色収差及び望遠端での軸上色収差と球面収差とを良好な収差の状態にすることである。これにより、結像光学系において良好な結像性能を実現することができる。
【００７３】
条件式（３−２）の上限を上回ると、屈折光学素子Aの軸上での中肉厚と周辺での中肉厚との比（中肉厚比）の変化が少ないため、広角端での倍率色収差の補正が過剰になる。さらに、望遠端での軸上色収差と球面収差の補正が不足する。その結果、良好な結像性能を実現することが困難となるため望ましくない。一方、条件式（３−２）の下限を下回ると、条件式（３−２）の分子部分が負となる。これは、屈折光学素子Aが光学素子としての物理的な形状を実現できないことを意味する。
【００７４】
また、結像光学系と撮像素子を有する撮像装置において、結像光学系が上記の実施形態の結像光学系である場合、以下の条件式（３−２）を満たすことが好ましい。
0＜(Zb(3.3a)-Za(3.3a))/(Zb(2.5a)-Za(2.5a))<0.895  …（３−２）
ここで、
ｆｗは前記結像光学系の広角端での焦点距離、
ｆｔは前記結像光学系での望遠端での焦点距離、
IHは前記撮像素子上での最大像高、
Za(h)は、前記屈折光学素子Aの光軸上での物体側面頂と、物体側の高さhでの位置との光軸方向の距離、
Zb(h)は、前記屈折光学素子Aの光軸上での物体側面頂と、像面側の高さhでの位置との光軸方向の距離、
aは、次式（３−１）で定義する値である。
a=(IH2×log10(ft/fw) )/ fw  …（３−１）
【００７５】
条件式（３−２）についての効果は上記のとおりである。
【００７６】
また、上記の各実施形態の撮像装置、以下の条件式（５ａ）又は条件式（５ｂ）を満足することが好ましい。
0.20<(Tnglw(0.7)/Tbasw(0.7))/(Tngl(0)/Tbas(0))<0.65  …（５a）
0.10<(Tnglw(0.9)/Tbasw(0.9))/(Tngl(0)/Tbas(0))<0.45  …（５b）
ここで、
Tngl(0)は前記屈折光学素子Aの軸上の中肉厚、
Ｔnglw（0.7）は、広角端における前記撮像素子上での最大光線高に対し70％の光線高の光線が前記屈折光学素子A内を通過する長さ、
Ｔnglw（0.9）は、広角端における前記撮像素子上での最大光線高に対し90％の光線高の光線が前記屈折光学素子A内を通過する長さ、
Tbas(0)は前記光学素子Bの軸上の中肉厚、
Ｔbasw（0.7）は、広角端における前記撮像素子上での最大光線高に対し70％の光線高の光線が前記光学素子B内を通過する長さ、
Ｔbasw（0.9）は、広角端における前記撮像素子上での最大光線高に対し90％の光線高の光線が前記光学素子B内を通過する長さ、
である。
0.20<(Tnglw(0.7)/Tbasw(0.7))/(Tngl(0)/Tbas(0))<0.65  …（５a）
0.10<(Tnglw(0.9)/Tbasw(0.9))/(Tngl(0)/Tbas(0))<0.45  …（５b）
ここで、
Tngl(0)は前記屈折光学素子Aの軸上の中肉厚、
Ｔnglw（0.7）は、広角端における前記撮像素子上での最大光線高に対し70％の光線高の光線が前記屈折光学素子A内を通過する長さ、
Ｔnglw（0.9）は、広角端における前記撮像素子上での最大光線高に対し90％の光線高の光線が前記屈折光学素子A内を通過する長さ、
Tbas(0)は前記光学素子Bの軸上の中肉厚、
Ｔbasw（0.7）は、広角端における前記撮像素子上での最大光線高に対し70％の光線高の光線が前記光学素子B内を通過する長さ、
Ｔbasw（0.9）は、広角端における前記撮像素子上での最大光線高に対し90％の光線高の光線が前記光学素子B内を通過する長さ、
である。
【００７７】
条件式（５ａ）又は条件式（５ｂ）を満たすと、広角端において、軸上色収差と倍率色収差を良好に補正することができ、さらに、軸上色収差と倍率色収差をバランスよく補正することができる。
【００７８】
条件式（５ａ）、（５ｂ）の上限を上回ると、軸上色収差に対して倍率色収差の補正の方が大きくなる。この場合、倍率色収差の補正量が適正な時に軸上色収差の補正量が不足し、軸上の性能が悪化するため望ましくない。
【００７９】
条件式（５ａ）、（５ｂ）の下限を下回ると、軸上色収差に対して倍率色収差の補正が小さくなる。この場合、軸上色収差の補正量が適正なときに倍率色収差の補正量が不足し、軸外の性能が悪化するため望ましくない。
【００８０】
なお、条件式（５ａ）、（５ｂ）の下限は、分母の値と分子の値が共に正の値であることから、負になることはない。
【００８１】
また、上記の各実施形態の撮像装置、以下の条件式（１１−１a）、（１１−１ｂ）、（１１−１ｃ）、（１１−２a）、（１１−２ｂ）のいずれかを満足することが好ましい。
0.4＜Tngl(0)／Tbas(0)＜2.4  …（１１−１a）
0.2＜Tnglt(0.7)／Tbast(0.7)＜1.5  …（１１−１b）
0.1＜Tnglt(0.9)／Tbast(0.9)＜1.1  …（１１−１c）
0.2<(Tnglt(0.7)/Tbast(0.7))/(Tngl(0)/Tbas(0))<0.85  …（１１−２a）
0.2<(Tnglt(0.9)/Tbast(0.9))/(Tngl(0)/Tbas(0))<0.75  …（１１−２b）
ここで、
Tngl(0)は前記屈折光学素子Aの軸上の中肉厚、
Ｔnglt（0.7）は、望遠端における前記撮像素子上での最大光線高に対し70％の光線高の光線が前記屈折光学素子A内を通過する長さ、
Ｔnglt（0.9）は、望遠端における前記撮像素子上での最大光線高に対し90％の光線高の光線が前記屈折光学素子A内を通過する長さ、
Tbaso(0)は前記光学素子Bの軸上の中肉厚、
Ｔbasto（0.7）は、望遠端における前記撮像素子上での最大光線高に対し70％の光線高の光線が前記光学素子B内を通過する長さ、
Ｔbasto（0.9）は、望遠端における前記撮像素子上での最大光線高に対し90％の光線高の光線が前記光学素子B内を通過する長さ、
である。
【００８２】
（１１−１a）、（１１−１ｂ）、（１１−１ｃ）、（１１−２a）、（１１−２ｂ）のいずれかを満たすと、望遠端において軸上色収差と倍率色収差を良好に補正することができる。さらに、軸上色収差と倍率色収差をバランスよく補正することができる。
【００８３】
条件式（１１−１a）、（１１−１ｂ）、（１１−１ｃ）の上限を上回ると、望遠端の軸上においては軸上色収差が過剰に補正され、軸外においては倍率色収差が過剰に補正されてしまう。その結果、光学系全体の結像性能が悪化するため望ましくない。
【００８４】
条件式（１１−１a）、（１１−１ｂ）、（１１−１ｃ）の下限を下回ると、望遠端の軸上においては軸上色収差の補正不足が生じ、軸外では倍率色収差の補正不足が生じる。さらに、最軸外で縁肉が取れず製造が困難となるため望ましくない。
【００８５】
条件式（１１−２a）、（１１−２ｂ）の上限を上回ると、軸上色収差に対して倍率色収差の補正が大きくなる。この場合、倍率色収差の補正量が適正な時に、軸上色収差の補正量が不足してしまう。その結果、軸上の性能が悪化するため望ましくない。
【００８６】
条件式（１１−２a）、（１１−２ｂ）の下限を下回ると、軸上色収差に対して倍率色収差の補正が小さくなる。この場合、軸上色収差の補正量が適正なときに、倍率色収差の補正量が不足してしまう。その結果、軸外の性能が悪化するため望ましくない。なお、条件式（１１−２a）、（１１−２ｂ）の下限は、分母分子共に正の値であることから、負になることはない。
【００８７】
また、上記の各実施形態の撮像装置は、以下の条件式（１２ａ）又は条件式（１２ｂ）を満足することが好ましい。
0.5<(Tnglw(0.7) /(Tngl(0))<0.9  …（１２a）
0.3<(Tnglw(0.9)/(Tngl(0))<0.8  …（１２b）
ここで、
Tngl(0)は前記屈折光学素子Aの軸上の中肉厚、
Ｔnglw（0.7）は、広角端における前記撮像素子上での最大光線高に対し70％の光線高の光線が前記屈折光学素子A内を通過する長さ、
Ｔnglw（0.9）は、広角端における前記撮像素子上での最大光線高に対し90％の光線高の光線が前記屈折光学素子A内を通過する長さ、
である。
【００８８】
条件式（１２ａ）、（１２ｂ）を満たすことが望ましい。広角端において軸上色収差と倍率色収差を良好に補正することができる。さらに、軸上色収差と倍率色収差をバランス良く補正することができる。
【００８９】
条件式（１２ａ）、（１２ｂ）の上限を上回ると、屈折光学素子Aにおいて、軸上と軸外との中肉厚の差が無くなる。この場合、軸上色収差に対して倍率色収差の補正が過剰となる。その結果、光学系全体の結像性能が悪化するため望ましくない。一方、条件式（１２ａ）、（１２ｂ）の下限を下回ると、軸上色収差に対して倍率色収差の補正が不足する。この場合も、光学系全体の結像性能が悪化するため望ましくない。
【００９０】
また、上記の各実施形態の撮像装置は、以下の条件式（１３ａ）又は条件式（１３ｂ）を満足することが好ましい。
0.5<(Tnglt(0.7) /(Tngl(0))<0.95  …（１３a）
0.4<(Tnglt(0.9)/(Tngl(0))<0.93  …（１３b）
ここで、
Tngl(0)は前記屈折光学素子Aの軸上の中肉厚、
Ｔnglt（0.7）は、望遠端における前記撮像素子上での最大光線高に対し70％の光線高の光線が前記屈折光学素子A内を通過する長さ、
Ｔnglt（0.9）は、望遠端における前記撮像素子上での最大光線高に対し90％の光線高の光線が前記屈折光学素子A内を通過する長さ、
である。
【００９１】
条件式（１３ａ）、（１３ｂ）を満たすと、望遠端において、軸上色収差と倍率色収差を良好に補正することができる。さらに、軸上色収差と倍率色収差をバランス良く補正することができる。
【００９２】
条件式（１３ａ）、（１３ｂ）の上限を上回ると、屈折光学素子Aにおいて、軸上と軸外との中肉厚の差が無くなる。この場合、軸上色収差に対して倍率色収差の補正が不足するため望ましくない。一方、条件式（１３ａ）、（１３ｂ）の下限を下回ると、軸上色収差に対して倍率色収差の補正が過剰となる。その結果、光学系全体の結像性能が悪化するため望ましくない。
【００９３】
また、上記の各実施形態の撮像装置は、以下の条件式（１４−１a）、（１４−１ｂ）、（１４−１ｃ）のいずれかを満足することが好ましい。
0.4＜Tngl(0)／Tbas(0)＜2.4  …（１４−１a）
0.2＜Tnglw(0.7)／Tbasw(0.7)＜0.9  …（１４−１b）
0.1＜Tnglw(0.9)／Tbasw(0.9)＜0.65  …（１４−１c）
ここで、
Tngl(0)は前記屈折光学素子Aの軸上の中肉厚、
Ｔnglw（0.7）は、広角端における前記撮像素子上での最大光線高に対し70％の光線高の光線が前記屈折光学素子A内を通過する長さ、
Ｔnglw（0.9）は、広角端における前記撮像素子上での最大光線高に対し90％の光線高の光線が前記屈折光学素子A内を通過する長さ、
Tbas(0)は前記光学素子Bの軸上の中肉厚、
Ｔbasw（0.7）は、広角端における前記撮像素子上での最大光線高に対し70％の光線高の光線が前記光学素子B内を通過する長さを、
Ｔbasw（0.9）は、広角端における前記撮像素子上での最大光線高に対し90％の光線高の光線が前記光学素子B内を通過する長さ、
である。
【００９４】
条件式（１４−１a）、（１４−１ｂ）、（１４−１ｃ）を満たすと、広角端において、軸上色収差と倍率色収差を良好に補正することができる。さらに、軸上色収差と倍率色収差をバランス良く補正することができる。
【００９５】
条件式（１４−１a）、（１４−１ｂ）、（１４−１ｃ）の上限を上回ると、広角端の軸上においては軸上色収差が過剰に補正され、軸外においては倍率色収差が過剰に補正される。その結果、光学系全体の結像性能が悪化するため望ましくない。
【００９６】
一方、条件式（１４−１a）、（１４−１ｂ）、（１４−１ｃ）の下限を下回ると、広角端の軸上においては軸上色収差の補正不足が生じ、軸外では倍率色収差の補正不足が生じてしまう。さらに最軸外で縁肉が取れず製造が困難となるため望ましくない。
【実施例】
【００９７】
以下に、本発明にかかる結像光学系及び電子撮像装置の実施例を図面に基づいて詳細に説明する。なお、この実施例によりこの発明が限定されるものではない。以下の説明において、光学素子Bは物体側基材光学素子Bと、光学素子Cは像側基材光学素子Cと称している。
【００９８】
各実施例は、物体側から順に、正の屈折力の第１レンズ群、負の屈折力の第２レンズ群、絞り、正の屈折力の第３レンズ群、正の屈折力の第４レンズ群、正の屈折力の第５レンズ群から構成されている。第１レンズ群は正レンズ、負レンズ（物体側基材光学素子B）、前述した正の屈折力を有する屈折光学素子A、そして１枚の正レンズ（像側基材光学素子C）を有している。屈折光学素子A及び第１レンズ群の構成により、望遠端で色収差補正を効果的に行っている。
【００９９】
第２レンズ群は負レンズ、負レンズ、正レンズ、負レンズから構成されている。第２レンズ群の構成により、高ズーム比を達成している。
【０１００】
広角端に比して望遠端で、第１レンズ群と第２レンズ群の間隔が大きく、第２レンズ群と第３レンズ群の間隔が小さく、第３レンズ群と第４レンズ群の間隔が大きく、第４レンズ群と第５レンズ群の間隔が小さくなるように、隣接するレンズ群の間隔を変化させてズーミングを行う。
【０１０１】
第４レンズ群は物体側に凸形状の軌跡で移動して変倍に伴う像面変動を補正している。
【０１０２】
各実施例のズームレンズはビデオカメラやデジタルカメラ、そして銀塩フィルムカメラ等の撮像装置に用いられる撮影レンズ系である。
以下の実施例において、広角端と望遠端は変倍用レンズ群が機構上光軸上を移動可能な範囲の両端に位置したときのズーム位置をいう。
【０１０３】
各実施例はいずれも、物体側より像側へ順に、正の屈折力を有する第１レンズ群、負の屈折力を有する第２レンズ群、そして像側レンズ群を有するズームレンズである。
本発明において、像側レンズ群を構成するレンズ群の数は任意であり、最低限１つのレンズ群を有していれば良い。すなわち、本発明に係るズームレンズは、３以上のレンズ群を有していればよい。
【０１０４】
次に、本発明の実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【０１０５】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【０１０６】
実施例１のズームレンズは、図１に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、正屈折力の第５レンズ群Ｇ５と、を有している。なお、以下全ての実施例において、レンズ断面図中、ＬＰＦはローパスフィルター、ＣＧはカバーガラス、Ｉは電子撮像素子の撮像面を示している。
【０１０７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．６６８である。
【０１０８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。なお、以下の全ての実施例においてＬ７は接合層である。
【０１０９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０１１０】
第４レンズ群Ｇ４は、物体側より順に並んだ両凸正レンズＬ１４と接合層Ｌ１５と両凹負レンズＬ１６との接合レンズで構成されており、全体で正の屈折力を有している。なお、以下の全ての実施例においてＬ１５は接合層である。
【０１１１】
第５レンズ群Ｇ５は、物体側より順に、両凸正レンズＬ１７で構成されており、全体で正の屈折力を有している。
【０１１２】
広角端から望遠端へと変倍する際には、第１レンズ群Ｇ１は物体側へ移動する。第２レンズ群Ｇ２は像側へ移動した後に物体側へ移動する。第３レンズ群Ｇ３は物体側へ移動する。明るさ絞りＳは、第３レンズ群Ｇ３とともに物体側へ移動する。第４レンズ群Ｇ４は物体側へ移動した後に像側へ移動する。第５レンズ群Ｇ５は固定している。
【０１１３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０１１４】
次に、本発明の実施例２にかかるズームレンズについて説明する。図３は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【０１１５】
図４は実施例２にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１１６】
実施例２のズームレンズは、図３に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、正屈折力の第５レンズ群Ｇ５と、を有している。
【０１１７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．６６８である。
【０１１８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。
【０１１９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０１２０】
第４レンズ群Ｇ４は、物体側より順に並んだ両凸正レンズＬ１４と接合層Ｌ１５と両凹負レンズＬ１６との接合レンズで構成されており、全体で正の屈折力を有している。
【０１２１】
第５レンズ群Ｇ５は、物体側より順に、両凸正レンズＬ１７で構成されており、全体で正の屈折力を有している。
【０１２２】
広角端から望遠端へと変倍する際には、第１レンズ群Ｇ１は物体側へ移動する。第２レンズ群Ｇ２は物体側へ移動する。第３レンズ群Ｇ３は物体側へ移動する。明るさ絞りＳは、第３レンズ群Ｇ３とともに物体側へ移動する。第４レンズ群Ｇ４は物体側へ移動した後に像側へ移動する。第５レンズ群Ｇ５は固定している。
【０１２３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０１２４】
次に、本発明の実施例３にかかるズームレンズについて説明する。図５は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２５】
図６は実施例３にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１２６】
実施例３のズームレンズは、図５に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、正屈折力の第５レンズ群Ｇ５と、を有している。
【０１２７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．６８９である。
【０１２８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。
【０１２９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０１３０】
第４レンズ群Ｇ４は、物体側より順に並んだ両凸正レンズＬ１４と接合層Ｌ１５と両凹負レンズＬ１６との接合レンズで構成されており、全体で正の屈折力を有している。
【０１３１】
第５レンズ群Ｇ５は、物体側より順に、両凸正レンズＬ１７で構成されており、全体で正の屈折力を有している。
【０１３２】
広角端から望遠端へと変倍する際には、第１レンズ群Ｇ１は物体側へ移動する。第２レンズ群Ｇ２は像側へ移動する。第３レンズ群Ｇ３は物体側へ移動する。明るさ絞りＳは、第３レンズ群Ｇ３とともに移動する。第４レンズ群Ｇ４は物体側へ移動した後に像側へ移動する。第５レンズ群Ｇ５は固定している。
【０１３３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０１３４】
次に、本発明の実施例４にかかるズームレンズについて説明する。図７は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３５】
図８は実施例４にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１３６】
実施例４のズームレンズは、図７に示すように、物体側より順に、正屈折力の第１レンズ群Ｇ１と、第２レンズ群Ｇ２と、負屈折力の開口絞りＳと、正屈折力の第３レンズ群Ｇ３と、正屈折力の第４レンズ群Ｇ４と、正屈折力の第５レンズ群Ｇ５と、を有している。
【０１３７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．７１８である。
【０１３８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。
【０１３９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０１４０】
第４レンズ群Ｇ４は、物体側より順に並んだ両凸正レンズＬ１４と接合層Ｌ１５と両凹負レンズＬ１６との接合レンズで構成されており、全体で正の屈折力を有している。
【０１４１】
第５レンズ群Ｇ５は、物体側より順に、両凸正レンズＬ１７で構成されており、全体で正の屈折力を有している。
【０１４２】
広角端から望遠端へと変倍する際には、第１レンズ群Ｇ１は物体側へ移動する。第２レンズ群Ｇ２は像側へ移動した後に物体側へ移動する。第３レンズ群Ｇ３は物体側へ移動する。明るさ絞りＳは、第３レンズ群Ｇ３とともに物体側へ移動する。第４レンズ群Ｇ４は物体側へ移動した後に像側へ移動する。第５レンズ群Ｇ５は固定している。
【０１４３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０１４４】
次に、本発明の実施例５にかかるズームレンズについて説明する。図９は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【０１４５】
図１０は実施例５にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１４６】
実施例５のズームレンズは、図９に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５と、を有している。
【０１４７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．７１８である。
【０１４８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。
【０１４９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０１５０】
第４レンズ群Ｇ４は、物体側より順に並んだ両凸正レンズＬ１４と接合層Ｌ１５と両凹負レンズＬ１６との接合レンズで構成されており、全体で正の屈折力を有している。
【０１５１】
第５レンズ群Ｇ５は、物体側より順に、両凸正レンズＬ１７で構成されており、全体で正の屈折力を有している。
【０１５２】
広角端から望遠端へと変倍する際には、第１レンズ群Ｇ１は物体側へ移動する。第２レンズ群Ｇ２は像側へ移動した後に物体側へ移動する。第３レンズ群Ｇ３は物体側へ移動する。明るさ絞りＳは、第３レンズ群Ｇ３とともに物体側へ移動する。第４レンズ群Ｇ４は物体側へ移動した後に像側へ移動する。第５レンズ群Ｇ５は固定している。
【０１５３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０１５４】
次に、本発明の実施例６にかかるズームレンズについて説明する。図１１は本発明の実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１５５】
図１２は実施例６にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１５６】
実施例６のズームレンズは、図１１に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、正屈折力の第５レンズ群Ｇ５と、を有している。
【０１５７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．７３８である。
【０１５８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。
【０１５９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０１６０】
第４レンズ群Ｇ４は、物体側より順に並んだ両凸正レンズＬ１４と接合層Ｌ１５と両凹負レンズＬ１６との接合レンズで構成されており、全体で正の屈折力を有している。
【０１６１】
第５レンズ群Ｇ５は、物体側より順に、両凸正レンズＬ１７で構成されており、全体で正の屈折力を有している。
【０１６２】
広角端から望遠端へと変倍する際には、第１レンズ群Ｇ１は物体側へ移動する。第２レンズ群Ｇ２は像側へ移動する。第３レンズ群Ｇ３は物体側へ移動する。明るさ絞りＳは、第３レンズ群Ｇ３とともに物体側へ移動する。第４レンズ群Ｇ４は物体側へ移動した後に像側へ移動する。第５レンズ群Ｇ５は固定している。
【０１６３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０１６４】
次に、本発明の実施例７にかかるズームレンズについて説明する。図１３は本発明の実施例７にかかるズームレンズの無限遠物点合焦時の光学構成を示す光軸に沿う断面図であり、（ａ）は広角端、（ｂ）は中間焦点距離状態、（ｃ）は望遠端での断面図である。
【０１６５】
図１４は実施例７にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１６６】
実施例７のズームレンズは、図１３に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、正屈折力の第５レンズ群Ｇ５と、を有している。
【０１６７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．７６１である。
【０１６８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。
【０１６９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０１７０】
第４レンズ群Ｇ４は、物体側より順に並んだ両凸正レンズＬ１４と接合層Ｌ１５と両凹負レンズＬ１６との接合レンズで構成されており、全体で正の屈折力を有している。
【０１７１】
第５レンズ群Ｇ５は、物体側より順に、両凸正レンズＬ１７で構成されており、全体で正の屈折力を有している。
【０１７２】
広角端から望遠端へと変倍する際には、第１レンズ群Ｇ１は物体側へ移動する。第２レンズ群Ｇ２は像側へ移動した後に物体側へ移動する。第３レンズ群Ｇ３は物体側へ移動する。明るさ絞りＳは、第３レンズ群Ｇ３とともに物体側へ移動する。第４レンズ群Ｇ４は物体側へ移動した後に像側へ移動する。第５レンズ群Ｇ５は固定している。
【０１７３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０１７４】
次に、本発明の実施例８にかかるズームレンズについて説明する。図１５は本発明の実施例８にかかるズームレンズの無限遠物点合焦時の光学構成を示す光軸に沿う断面図であり、（ａ）は広角端、（ｂ）は中間焦点距離状態、（ｃ）は望遠端での断面図である。
【０１７５】
図１６は実施例８にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１７６】
実施例８のズームレンズは、図１５に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、第５レンズ群Ｇ５と、を有している。
【０１７７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．８１７である。
【０１７８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。
【０１７９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０１８０】
第４レンズ群Ｇ４は、物体側より順に並んだ両凸正レンズＬ１４と接合層Ｌ１５と両凹負レンズＬ１６との接合レンズで構成されており、全体で正の屈折力を有している。
【０１８１】
第５レンズ群Ｇ５は、物体側より順に、両凸正レンズＬ１７で構成されており、全体で正の屈折力を有している。
【０１８２】
広角端から望遠端へと変倍する際には、第１レンズ群Ｇ１は物体側へ移動する。第２レンズ群Ｇ２は像側へ移動した後に物体側へ移動する。第３レンズ群Ｇ３は物体側へ移動する。明るさ絞りＳは、第３レンズ群Ｇ３とともに物体側へ移動する。第４レンズ群Ｇ４は物体側へ移動した後に像側へ移動する。第５レンズ群Ｇ５は固定している。
【０１８３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０１８４】
次に、本発明の実施例９にかかるズームレンズについて説明する。図１７は本発明の実施例９にかかるズームレンズの無限遠物点合焦時の光学構成を示す光軸に沿う断面図であり、（ａ）は広角端、（ｂ）は中間焦点距離状態、（ｃ）は望遠端での断面図である。
【０１８５】
図１８は実施例９にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１８６】
実施例９のズームレンズは、図１７に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、正屈折力の第５レンズ群Ｇ５と、を有している。
【０１８７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．８１７である。
【０１８８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。
【０１８９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０１９０】
第４レンズ群Ｇ４は、物体側より順に並んだ両凸正レンズＬ１４と接合層Ｌ１５と両凹負レンズＬ１６との接合レンズで構成されており、全体で正の屈折力を有している。
【０１９１】
第５レンズ群Ｇ５は、物体側より順に、両凸正レンズＬ１７で構成されており、全体で正の屈折力を有している。
【０１９２】
広角端から望遠端へと変倍する際には、第１レンズ群Ｇ１は物体側へ移動する。第２レンズ群Ｇ２は像側へ移動する。第３レンズ群Ｇ３は物体側へ移動する。明るさ絞りＳは、第３レンズ群Ｇ３とともに移動する。第４レンズ群Ｇ４は物体側へ移動した後に像側へ移動する。第５レンズ群Ｇ５は固定している。
【０１９３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０１９４】
次に、本発明の実施例１０にかかるズームレンズについて説明する。図１９は本発明の実施例１０にかかるズームレンズの無限遠物点合焦時の光学構成を示す光軸に沿う断面図であり、（ａ）は広角端、（ｂ）は中間焦点距離状態、（ｃ）は望遠端での断面図である。
【０１９５】
図２０は実施例１０にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１９６】
実施例１０のズームレンズは、図１９に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、正屈折力の第５レンズ群Ｇ５と、を有している。
【０１９７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．８１７である。
【０１９８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。
【０１９９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０２００】
第４レンズ群Ｇ４は、物体側より順に並んだ両凸正レンズＬ１４と接合層Ｌ１５と両凹負レンズＬ１６との接合レンズで構成されており、全体で正の屈折力を有している。
【０２０１】
第５レンズ群Ｇ５は、物体側より順に、両凸正レンズＬ１７で構成されており、全体で正の屈折力を有している。
【０２０２】
広角端から望遠端へと変倍する際には、第１レンズ群Ｇ１は物体側へ移動する。第２レンズ群Ｇ２は像側へ移動する。第３レンズ群Ｇ３は物体側へ移動する。明るさ絞りＳは、第３レンズ群Ｇ３とともに物体側へ移動する。第４レンズ群Ｇ４は物体側へ移動した後に像側へ移動する。第５レンズ群Ｇ５は固定している。
【０２０３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０２０４】
次に、本発明の実施例１１にかかるズームレンズについて説明する。図２１は本発明の実施例１１にかかるズームレンズの無限遠物点合焦時の光学構成を示す光軸に沿う断面図であり、（ａ）は広角端、（ｂ）は中間焦点距離状態、（ｃ）は望遠端での断面図である。
【０２０５】
図２２は実施例１１にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２０６】
実施例１１のズームレンズは、図２１に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、正屈折力の第５レンズ群Ｇ５と、を有している。
【０２０７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．８１７である。
【０２０８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。
【０２０９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０２１０】
第４レンズ群Ｇ４は、物体側より順に並んだ両凸正レンズＬ１４と接合層Ｌ１６と両凹負レンズＬ１６との接合レンズで構成されており、全体で正の屈折力を有している。
【０２１１】
第５レンズ群Ｇ５は、物体側より順に、両凸正レンズＬ１７で構成されており、全体で正の屈折力を有している。
【０２１２】
広角端から望遠端へと変倍する際には、第１レンズ群Ｇ１は物体側へ移動する。第２レンズ群Ｇ２は像側へ移動する。第３レンズ群Ｇ３は物体側へ移動する。明るさ絞りＳは、第３レンズ群Ｇ３とともに物体側へ移動する。第４レンズ群Ｇ４は物体側へ移動した後に像側へ移動する。第５レンズ群Ｇ５は固定している。
【０２１３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０２１４】
次に、本発明の実施例１２にかかるズームレンズについて説明する。図２３は本発明の実施例１２にかかるズームレンズの無限遠物点合焦時の光学構成を示す光軸に沿う断面図であり、（ａ）は広角端、（ｂ）は中間焦点距離状態、（ｃ）は望遠端での断面図である。
【０２１５】
図２４は実施例１２にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０２１６】
実施例１２のズームレンズは、図２３に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、正屈折力の第５レンズ群Ｇ５と、を有している。
【０２１７】
第１レンズ群Ｇ１は、物体側より順に、物体側に凸面を向けた正メニスカスレンズＬ１と、物体側に凸面を向けた負メニスカスレンズＬ２と物体側に凸面を向けた正メニスカスレンズＬ３と物体側に凸面を向けた正メニスカスレンズＬ４との接合レンズと、で構成されており、全体で正の屈折力を有している。ここで、第１レンズ群Ｇ１の接合レンズの屈折光学素子Aの部分分散比θｇFは０．８１７である。
【０２１８】
第２レンズ群Ｇ２は、物体側より順に、物体側に凸面を向けた負メニスカスレンズＬ５と、両凹負レンズＬ６と接合層Ｌ７と両凸正レンズＬ８との接合レンズと、像側に凸面を向けた負メニスカスレンズＬ９と、で構成されており、全体で負の屈折力を有している。
【０２１９】
第３レンズ群Ｇ３は、物体側より順に、両凸正レンズＬ１０と、物体側に凸面を向けた負メニスカスレンズＬ１１と、両凸正レンズＬ１２と、物体側に凸面を向けた負メニスカスレンズＬ１３と、で構成されており、全体で正の屈折力を有している。
【０２２０】
第４レンズ群Ｇ４は、物体側より順に並んだ両凸正レンズＬ１４と接合層Ｌ１５と両凹負レンズＬ１６との接合レンズで構成されており、全体で正の屈折力を有している。
【０２２１】
第５レンズ群Ｇ５は、物体側より順に、両凸正レンズＬ１７で構成されており、全体で正の屈折力を有している。
【０２２２】
広角端から望遠端へと変倍する際には、第１レンズ群Ｇ１は物体側へ移動する。第２レンズ群Ｇ２は像側へ移動する。第３レンズ群Ｇ３は物体側へ移動する。明るさ絞りＳは、第３レンズ群Ｇ３とともに物体側へ移動する。第４レンズ群Ｇ４は物体側へ移動した後に像側へ移動する。第５レンズ群Ｇ５は固定している。
【０２２３】
非球面は、第２レンズ群Ｇ２の像側の負メニスカスレンズＬ９の像側の面と、第３レンズ群Ｇ３の物体側の両凸正レンズＬ１０の物体側の面と、像側の負メニスカスレンズＬ１３の両面と、第５レンズ群Ｇ５の両凸正レンズＬ１７の両面と、の６面に設けられている。
【０２２４】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、aspは非球面、STOは絞りをそれぞれ示している。
【０２２５】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］＋Ａ４ｙ4＋Ａ６ｙ6＋Ａ８ｙ8＋Ａ１０ｙ10  …（Ｉ）
また、Ｅは１０のべき乗を表している。なお、これら諸元値の記号は後述の実施例の数値データにおいても共通である。
【０２２６】
数値実施例1
単位    ｍｍ
面データ
面番号         r         d          nd        νd        ER
物面          ∞        ∞
1           60.982     5.35      1.64850     53.02      24.00
2          495.744     0.19                             23.38
3           31.172     1.28      1.92286     18.90      17.70
4           22.227     1.77      1.63387     23.38      16.35
5           26.877     5.23      1.49700     81.54      16.31
6          101.913     可変                             16.00
7          303.814     1.10      1.88300     40.76       9.68
8            8.312     4.79                              6.82
9          -46.254     0.80      1.88300     40.76       6.71
10          12.396     0.01      1.51400     42.83       6.69
11          12.396     4.87      1.78472     25.68       6.69
12         -12.684     1.15                              6.72
13         -11.499     0.80      1.77250     49.60       5.72
14＊      -230.432    可変                              5.72
15（絞り）    ∞       1.30                              3.39
16＊        10.743     4.93      1.58913     61.14       3.96
17         -78.051     0.10                              4.06
18          28.041     2.77      1.84666     23.78       4.07
19          10.295     1.42                              3.87
20          12.826     3.12      1.49700     81.54       4.21
21         -36.985     0.64                              4.29
22＊        39.207     1.36      1.53071     55.69       4.29
23＊        33.196     可変                              4.28
24          19.130     2.68      1.49700     81.54       4.60
25        -119.090     0.01      1.51400     42.83       4.47
26        -119.090     0.82      1.80400     46.57       4.47
27          76.031     可変                              4.41
28＊       147.374     1.63      1.53071     55.69       4.17
29＊       -67.939     1.09                              4.09
30            ∞       4.00      1.51680     64.20       4.02
31            ∞       1.05                              3.85
像面          ∞       
非球面データ
第14面
K=0.000,A2=0.0000E+00,A4=-7.99095e-05,A6=-9.37486e-07,A8= 4.32991e-08,
A10=-1.00218e-09
第16面
K=0.000,A2=0.0000E+00,A4=-8.77784e-05,A6=-1.01116e-06,A8=5.64180e-08,
A10=-2.23368e-09,A12=3.59187e-11
第22面
K=0.000,A2=0.0000E+00,A4=-2.17277e-04,A6=5.36299e-06,A8=-5.28517e-07,
A10=1.10330e-08,A12=-1.37250e-10
第23面
K=0.000,A2=0.0000E+00,A4=-1.09771e-04,A6=5.91402e-06,A8=-5.09130e-07,
A10=8.38419e-09,A12=-4.36735e-11
第28面
K=0.000,A2=0.0000E+00,A4=8.15873e-04,A6=4.82675e-06,A8=-2.20386e-06,
A10=4.10510e-08
第29面
K=0.000,A2=0.0000E+00,A4=1.26016e-03,A6=1.60282e-05,A8=-3.90922e-06,
A10=7.56282e-08
各種データ
ズーム比        17.36
広角      中間       望遠 
焦点距離         4.86      20.12      84.44
ＦＮＯ．         2.83       4.26       5.31
画角２ω        75.01      19.69       4.72
像高             3.6        3.6        3.6
レンズ全長      84.06      98.77     118.56
BF               4.78       4.67       4.67
d6               1.00      16.79      33.06 
d14             24.28       7.94       2.30 
d23              1.62      13.90      29.38
d27              4.26       7.36       1.04 
入射瞳位置      24.63      73.25     271.77
射出瞳位置A    -31.43    -104.20    3257.46
射出瞳位置B    -36.21    -108.87    3252.79
前側主点位置    28.84      89.66     358.40
後側主点位置    -3.81     -19.17     -83.49
レンズ単体データ
レンズ  始面    焦点距離    
L1    1        106.71
L2    3        -90.15
L3    4        176.57
L4    5         71.79
L5    7         -9.69
L6    9        -11.00
L7    10     8.81E+04
L8    11         8.73
L9    13       -15.69
L10   16        16.37
L11   18       -20.69
L12   20        19.57
L13   22      -442.74
L14   24        33.38
L15   25     8.13E+06
L16   26       -57.61
L17   28        87.85
ズームレンズ群データ
群  始面  焦点距離  レンズ構成長 前側主点位置 後側主点位置 
G1    1     58.8815   13.8227       -1.3148       -9.6007   
G2    7     -6.7026   13.5160        1.8901       -6.9662   
G3   15     16.3471   15.6380        2.4850       -9.1335   
G4   24     73.7783    3.5080       -2.0985       -4.2304   
G5   28     87.8520    6.7160        0.7294       -4.0624   
群  始面   広角倍率  中間倍率  望遠倍率  
G1    1     0.0000    0.0000    0.0000
G2    7    -0.1689   -0.2804   -0.8784
G3   15    -0.6482   -1.6981   -2.0449
G4   24     0.8014    0.7610    0.8466
G5   28     0.9418    0.9430    0.9430
【０２２７】
数値実施例2
単位   ｍｍ
面データ
面番号         r         d          nd        νd        ER
物面          ∞        ∞
1          59.963      4.20      1.49700     81.54      18.60
2        2486.142      0.10                             17.76
3          41.700      0.99      1.84666     23.78      15.50
4          25.367      0.72      1.63387     23.38      14.76
5          28.640      4.19      1.67790     55.34      14.74
6         111.334      可変                             14.50
7         110.422      1.10      1.88300     40.76       9.11
8           8.083      4.79                              6.49
9         -46.254      0.80      1.88300     40.76       6.24
10         12.396      0.01      1.51400     42.83       6.10
11         12.396      4.87      1.78472     25.68       6.11
12        -12.684      1.15                              6.07
13        -11.499      0.80      1.77250     49.60       5.08
14＊     -125.405      可変                              5.00
15(絞り)      ∞       1.30                              3.48
16＊       10.743      4.93      1.58913     61.14       4.07
17        -78.051      0.10                              4.16
18         28.041      2.77      1.84666     23.78       4.16
19         10.469      1.42                              3.94
20         13.611      3.12      1.49700     81.54       4.25
21        -36.985      0.64                              4.33
22＊       63.868      1.36      1.53071     55.69       4.33
23＊       48.855      可変                              4.34
24         19.130      2.68      1.49700     81.54       4.65
25       -119.090      0.01      1.51400     42.83       4.51
26       -119.090      0.82      1.80400     46.57       4.51
27         76.031      可変                              4.46
28＊      147.374      1.63      1.53071     55.69       4.21
29＊      -67.939      1.09                              4.18
30            ∞       4.00      1.51680     64.20       4.09
31            ∞       1.05                              3.86
像面          ∞       
非球面データ
第１４面
K=0.000,A2=0.0000E+00,A4=-8.14579e-05, A6=-1.15665e-06,A8=6.76342e-08,
A10=-1.49231e-09
第１６面
K=0.000,A2=0.0000E+00,A4=-8.77784e-05,A6=-1.01116e-06,A8=5.64180e-08,
A10=-2.23368e-09,A12=3.59187e-11   
第２２面
K=0.000,A2=0.0000E+00,A4=-2.17277e-04,A6=5.36299e-06,A8=-5.28517e-07,
A10=1.10330e-08,A12=-1.37250e-10   
第２３面
K=0.000,A2=0.0000E+00,A4=-1.09771e-04,A6=5.91402e-06,A8=-5.09130e-07,
A10=8.38419e-09,A12=-4.36735e-11  
第２８面
K=0.000,A2=0.0000E+00,A4=6.47771e-04,A6=-1.69732e-05,A8=-9.26628e-07,
A10=1.17663e-08   
第２９面
K=0.000,A2=0.0000E+00,A4=1.08506e-03,A6=-2.70703e-05,A8=-1.53201e-06,
A10= 3.10909e-08
各種データ
ズーム比        17.81
広角      中間       望遠 
焦点距離         4.69      19.67      83.55
ＦＮＯ．         2.80       4.36       5.11
画角２ω        78.31      20.25       4.80
像高             3.6        3.6        3.6
レンズ全長      80.70      98.74     120.58
BF               4.78       4.68       4.76
d6               1.00      18.72      39.47
d14             24.31       7.57       2.30
d23              1.61      16.43      28.30  
d27              4.52       6.85       1.26 
入射瞳位置      19.50      63.53     285.65
射出瞳位置A    -31.80    -132.93   -3328.09
射出瞳位置B    -36.58    -137.61   -3332.85
前側主点位置    23.59      80.39     367.10
後側主点位置    -3.64     -18.72     -82.51
レンズ単体データ
レンズ  始面    焦点距離    
L1    1        123.56
L2    3        -78.69
L3    4        322.68
L4    5         55.74
L5    7         -9.93
L6    9        -11.00
L7    10     8.81E+04
L8    11         8.73
L9    13       -16.44
L10   16        16.37
L11   18       -21.27
L12   20        20.44
L13   22      -404.32
L14   24        33.38
L15   25     8.13E+06
L16   26       -57.61
L17   28        87.85
ズームレンズ群データ
群  始面   焦点距離   レンズ構成長  前側主点位置  後側主点位置 
G1    1     63.1420    10.1987       -0.1462       -6.3764     
G2    7     -7.1131    13.5160        1.8043       -7.2056     
G3   15     16.6070    15.6380        2.4030       -9.2287     
G4   24     73.7783     3.5080       -2.0985       -4.2304     
G5   28     87.8520     6.7160        0.7294       -4.0624     
群  始面  広角倍率   中間倍率   望遠倍率
G1    1    0.0000     0.0000     0.0000
G2    7   -0.1518    -0.2442    -0.8487
G3   15   -0.6511    -1.7625    -1.9650 
G4   24    0.7980     0.7677     0.8423
G5   28    0.9418     0.9429     0.9420
【０２２８】
数値実施例3
単位   ｍｍ
面データ
面番号        r          d          nd        νd        ER
物面          ∞        ∞
1          60.578      3.83      1.49700     81.54      18.70
2        1959.863      0.10                             18.64
3          44.600      1.01      1.82114     24.06      15.50
4          24.534      0.78      1.67000     20.00      14.71
5          27.767      4.49      1.69350     53.21      14.69
6         126.235      可変                             14.45
7         139.991      1.10      1.88300     40.76       9.75
8           8.467      4.79                              6.96
9         -46.254      0.80      1.88300     40.76       6.87
10         12.396      0.01      1.51400     42.83       6.85
11         12.396      4.87      1.78472     25.68       6.86
12        -12.684      1.15                              6.88
13        -11.499      0.80      1.77250     49.60       5.80
14＊     -133.624      可変                              5.79
15(絞り)      ∞       1.30                              3.48
16＊       10.743      4.93      1.58913     61.14       4.03
17        -78.051      0.10                              4.09
18         28.041      2.77      1.84666     23.78       4.08
19         10.494      1.42                              3.85
20         13.584      3.12      1.49700     81.54       4.13
21        -36.985      0.64                              4.19
22＊       90.159      1.36      1.53071     55.69       4.18
23＊       47.692      可変                              4.19
24         19.130      2.68      1.49700     81.54       4.65
25       -119.090      0.01      1.51400     42.83       4.52
26       -119.090      0.82      1.80400     46.57       4.52
27         76.031      可変                              4.47
28＊      147.374      1.63      1.53071     55.69       4.20
29＊      -67.939      1.09                              4.22
30            ∞       4.00      1.51680     64.20       4.11
31            ∞       0.97                              3.87
像面          ∞       
非球面データ
第１４面
K=0.000,A2=0.0000E+00,A4=-7.27292e-05,A6=-1.76848e-06,A8=1.00411e-07,
A10=-1.83590e-09
第１６面
K=0.000,A2=0.0000E+00,A4=-8.77784e-05,A6=-1.01116e-06,A8=5.64180e-08,
A10=-2.23368e-09,A12=3.59187e-11
第２２面
K=0.000,A2=0.0000E+00,A4=-2.17277e-04,A6=5.36299e-06,A8=-5.28517e-07,
A10=1.10330e-08,A12=-1.37250e-10
第２３面
K=0.000,A2=0.0000E+00,A4=-1.09771e-04,A6=5.91402e-06,A8=-5.09130e-07,
A10=8.38419e-09,A12=-4.36735e-11    
第２８面
K=0.000,A2=0.0000E+00,A4=7.47669e-04,A6=-3.76060e-05,A8=-7.34892e-07,
A10=1.04035e-08
第２９面
K=0.000,A2=0.0000E+00,A4=1.22156e-03,A6=-4.89870e-05,A8=-1.82037e-06,
A10=5.14864e-08
各種データ
ズーム比        19.90
広角      中間       望遠 
焦点距離         4.68      19.85      93.09
ＦＮＯ．         2.85       4.45       5.18
画角２ω        78.27      20.06       4.31
像高             3.6        3.6        3.6
レンズ全長      82.56      99.88     120.82
BF               4.70       4.74       4.73
d6               1.00      18.90      40.08 
d14             26.12       8.56       2.30 
d23              1.59      16.58      27.97 
d27              4.66       6.60       1.25 
入射瞳位置      19.80      65.20     312.38
射出瞳位置A    -31.19    -128.84   -1443.88
射出瞳位置B    -35.88    -133.58   -1448.62
前側主点位置    23.87      82.10     399.49
後側主点位置    -3.71     -18.83     -92.08
レンズ単体データ
レンズ  始面    焦点距離    
L1    1        125.69
L2    3        -67.96
L3    4        286.94
L4    5         50.39
L5    7        -10.25
L6    9        -11.00
L7    10     8.81E+04
L8    11         8.73
L9    13       -16.33
L10   16        16.37
L11   18       -21.35
L12   20        20.41
L13   22      -192.93
L14   24        33.38
L15   25     8.13E+06
L16   26       -57.61
L17   28        87.85
ズームレンズ群データ
群  始面    焦点距離  レンズ構成長  前側主点位置  後側主点位置 
G1    1     62.9060    10.2044       -0.1488        -6.3375    
G2    7     -7.2621    13.5160        1.8474        -7.1449    
G3   15     16.9381    15.6380        2.0302        -9.4078    
G4   24     73.7783     3.5080       -2.0985        -4.2304    
G5   28     87.8520     6.7160        0.7294        -4.0624    
群  始面  広角倍率   中間倍率   望遠倍率  
G1    1     0.0000     0.0000     0.0000
G2    7    -0.1563    -0.2543    -0.9836
G3   15    -0.6330    -1.7097    -1.8942
G4   24     0.7973     0.7702     0.8429
G5   28     0.9427     0.9422     0.9423
【０２２９】
数値実施例4
単位   ｍｍ
面データ
面番号         r         d          nd        νd        ER
物面          ∞        ∞
1          63.548      3.67      1.48749     70.23      18.70
2        2150.199      0.10                             18.70
3          45.800      1.00      1.80810     22.76      15.50
4          24.015      0.81      1.70000     17.00      14.70
5          27.211      4.71      1.69350     53.21      14.68
6         145.055      可変                             14.44
7         155.509      1.10      1.88300     40.76       9.70
8           8.523      4.79                              6.95
9         -46.254      0.80      1.88300     40.76       6.85
10         12.396      0.01      1.51400     42.83       6.83
11         12.396      4.87      1.78472     25.68       6.84
12        -12.684      1.15                              6.86
13        -11.499      0.80      1.77250     49.60       5.77
14＊     -127.060      可変                              5.76
15(絞り)      ∞       1.30                              3.48
16＊       10.743      4.93      1.58913     61.14       4.03
17        -78.051      0.10                              4.08
18         28.041      2.77      1.84666     23.78       4.08
19         10.476      1.42                              3.84
20         13.473      3.12      1.49700     81.54       4.13
21        -36.985      0.64                              4.19
22＊       72.402      1.36      1.53071     55.69       4.17
23＊       40.707      可変                              4.17
24         19.130      2.68      1.49700     81.54       4.64
25       -119.090      0.01      1.51400     42.83       4.51
26       -119.090      0.82      1.80400     46.57       4.51
27         76.031      可変                              4.46
28＊      147.374      1.63      1.53071     55.69       4.19
29＊      -67.939      1.09                              4.22
30            ∞       4.00      1.51680     64.20       4.11
31            ∞       0.97                              3.87
像面          ∞       
非球面データ
第１４面
K=0.000,A2=0.0000E+00,A4=-7.11211e-05,A6=-1.71900e-06,A8=9.29927e-08,
A10=-1.65953e-09
第１６面
K=0.000,A2=0.0000E+00,A4=-8.77784e-05,A6=-1.01116e-06,A8=5.64180e-08,
A10=-2.23368e-09,A12=3.59187e-11
第２２面
K=0.000,A2=0.0000E+00,A4=-2.17277e-04,A6=5.36299e-06,A8=-5.28517e-07,
A10=1.10330e-08,A12=-1.37250e-10
第２３面
K=0.000,A2=0.0000E+00,A4=-1.09771e-04,A6=5.91402e-06,A8=-5.09130e-07,
A10=8.38419e-09,A12=-4.36735e-11
第２８面
K=0.000,A2=0.0000E+00,A4=7.76388e-04,A6=-4.12605e-05,A8=-9.03164e-07,
A10=1.71227e-08
第２９面
K=0.000,A2=0.0000E+00,A4=1.29954e-03,A6=-5.65919e-05,A8=-1.92076e-06,
A10=6.00276e-08
各種データ
ズーム比        19.88
広角      中間       望遠 
焦点距離         4.68      19.77      92.94   
ＦＮＯ．         2.86       4.47       5.23 
画角２ω        78.44      20.13       4.31
像高             3.6        3.6        3.6
レンズ全長      82.70      99.46     121.24
BF               4.69       4.69       4.70
d6               1.00      18.53      40.18 
d14             26.21       8.33       2.30 
d23              1.59      15.72      28.23 
d27              4.63       7.60       1.25 
入射瞳位置      19.80      63.23     309.35
射出瞳位置A    -30.95    -121.82   -1731.37
射出瞳位置B    -35.64    -126.51   -1736.07
前側主点位置    23.86      79.92     397.31
後側主点位置    -3.71     -18.81     -91.96
レンズ単体データ
レンズ  始面    焦点距離    
L1    1        134.25
L2    3        -63.79
L3    4        264.47
L4    5         47.52
L5    7        -10.25
L6    9        -11.00
L7    10     8.81E+04
L8    11         8.73
L9    13       -16.42
L10   16        16.37
L11   18       -21.29
L12   20        20.29
L13   22      -177.86
L14   24        33.38
L15   25     8.13E+06
L16   26       -57.61
L17   28        87.85
ズームレンズ群データ
群  始面    焦点距離  レンズ構成長  前側主点位置  後側主点位置 
G1    1     63.0560    10.2897        0.0045       -6.2513     
G2    7     -7.2939    13.5160        1.8285       -7.1781     
G3   15     16.9400    15.6380        1.9601       -9.4241     
G4   24     73.7783     3.5080       -2.0985       -4.2304     
G5   28     87.8520     6.7160        0.7294       -4.0624     
群  始面  広角倍率   中間倍率   望遠倍率
G1    1     0.0000     0.0000     0.0000
G2    7    -0.1562    -0.2502    -0.9719
G3   15    -0.6312    -1.7553    -1.9075
G4   24     0.7976     0.7574     0.8434
G5   28     0.9427     0.9427     0.9427
【０２３０】
数値実施例5
単位   ｍｍ
面データ
面番号        r          d          nd        νd        ER
物面          ∞        ∞
1          59.292      3.90      1.49700     81.54      18.70
2        2289.832      0.10                             18.70
3          45.600      0.99      1.84666     23.78      15.50
4          24.423      0.79      1.70000     17.00      14.69
5          27.713      4.57      1.69100     54.82      14.68
6         138.214      可変                             14.44
7         170.683      1.10      1.88300     40.76       9.67
8           8.530      4.79                              6.93
9         -46.254      0.80      1.88300     40.76       6.82
10         12.396      0.01      1.51400     42.83       6.79
11         12.396      4.87      1.78472     25.68       6.80
12        -12.684      1.15                              6.82
13        -11.499      0.80      1.77250     49.60       5.73
14＊     -137.938      可変                              5.71
15(絞り)      ∞       1.30                              3.48
16＊       10.743      4.93      1.58913     61.14       4.04
17        -78.051      0.10                              4.10
18         28.041      2.77      1.84666     23.78       4.09
19         10.412      1.42                              3.86
20         13.217      3.12      1.49700     81.54       4.16
21        -36.985      0.64                              4.22
22＊       82.670      1.36      1.53071     55.69       4.20
23＊       45.251      可変                              4.21
24         19.130      2.68      1.49700     81.54       4.66
25       -119.090      0.01      1.51400     42.83       4.52
26       -119.090      0.82      1.80400     46.57       4.52
27         76.031      可変                              4.47
28＊      147.374      1.63      1.53071     55.69       4.19
29＊      -67.939      1.09                              4.26
30            ∞       4.00      1.51680     64.20       4.14
31            ∞       0.97                              3.89
像面          ∞       
非球面データ
第１４面
K=0.000,A2=0.0000E+00,A4=-7.04083e-05,A6=-1.82904e-06,A8=9.77667e-08,A10=-1.69705e-09
第１６面
K=0.000,A2=0.0000E+00,A4=-8.77784e-05,A6=-1.01116e-06,A8=5.64180e-08,
A10=-2.23368e-09,A12=3.59187e-11  
第２２面
K=0.000,A2=0.0000E+00,A4=-2.17277e-04,A6=5.36299e-06,A8=-5.28517e-07,
A10=1.10330e-08,A12=-1.37250e-10    
第２３面
K=0.000,A2=0.0000E+00,A4=-1.09771e-04,A6=5.91402e-06,A8=-5.09130e-07,
A10=8.38419e-09,A12=-4.36735e-11     
第２８面
K=0.000,A2=0.0000E+00,A4=6.47128e-04,A6=-4.20407e-05,A8=-9.04150e-07,
A10=1.15427e-08   
第２９面
K=0.000,A2=0.0000E+00,A4=1.12050e-03,A6=-5.77871e-05,A8=-1.84279e-06,
A10=5.68107e-08
各種データ
ズーム比        19.82
広角      中間       望遠 
焦点距離         4.68      19.82      92.70
ＦＮＯ．         2.85       4.43       5.24
画角２ω        78.59      20.10       4.32
像高             3.6        3.6        3.6
レンズ全長      82.33      99.72     122.01
BF               4.69       4.74       4.75
d6               1.00      18.94      40.45 
d14             25.73       8.18       2.30 
d23              1.59      15.44      28.63 
d27              4.67       7.78       1.24 
入射瞳位置      19.80      64.74     311.57
射出瞳位置A    -31.27    -120.45   -3511.16
射出瞳位置B    -35.96    -125.19   -3515.91
前側主点位置    23.87      81.42     401.82
後側主点位置    -3.71     -18.80     -91.67
レンズ単体データ
レンズ  始面    焦点距離    
L1    1        122.40
L2    3        -63.48
L3    4        267.47
L4    5         49.33
L5    7        -10.20
L6    9        -11.00
L7    10     8.81E+04
L8    11         8.73
L9    13       -16.28
L10   16        16.37
L11   18       -21.08
L12   20        20.01
L13   22      -190.78
L14   24        33.38
L15   25     8.13E+06
L16   26       -57.61
L17   28        87.85
ズームレンズ群データ
群  始面    焦点距離  レンズ構成長  前側主点位置  後側主点位置 
G1    1     63.5795     10.3496       -0.1470       -6.4207    
G2    7     -7.2159     13.5160        1.8459       -7.1345    
G3   15     16.8652     15.6380        2.0727       -9.3759    
G4   24     73.7783      3.5080       -2.0985       -4.2304    
G5   28     87.8520      6.7160        0.7294       -4.0624    
群  始面  広角倍率   中間倍率   望遠倍率
G1    1    0.0000     0.0000     0.0000
G2    7   -0.1532    -0.2475    -0.9440
G3   15   -0.6389    -1.7718    -1.9453
G4   24    0.7972     0.7543     0.8427
G5   28    0.9427     0.9422     0.9421
【０２３１】
数値実施例6
単位   ｍｍ
面データ
面番号        r          d          nd        νd        ER
物面          ∞        ∞
1          62.273      3.78      1.49700     81.54      18.70
2        2204.309      0.10                             18.81
3          43.400      1.00      1.90680     21.15      15.50
4          24.822      0.83      1.73000     15.00      14.72
5          28.504      4.49      1.69100     54.82      14.71
6         158.244      可変                             14.48
7         179.385      1.10      1.88300     40.76       9.76
8           8.634      4.79                              7.01
9         -46.254      0.80      1.88300     40.76       6.91
10         12.396      0.01      1.51400     42.83       6.89
11         12.396      4.87      1.78472     25.68       6.89
12        -12.684      1.15                              6.91
13        -11.499      0.80      1.77250     49.60       5.76
14＊     -124.597      可変                              5.74
15(絞り)      ∞       1.30                              3.48
16＊       10.743      4.93      1.58913     61.14       4.03
17        -78.051      0.10                              4.08
18         28.041      2.77      1.84666     23.78       4.08
19         10.545      1.42                              3.85
20         13.646      3.12      1.49700     81.54       4.12
21        -36.985      0.64                              4.18
22＊       84.725      1.36      1.53071     55.69       4.17
23＊       42.613      可変                              4.17
24         19.130      2.68      1.49700     81.54       4.61
25       -119.090      0.01      1.51400     42.83       4.48
26       -119.090      0.82      1.80400     46.57       4.48
27         76.031      可変                              4.43
28＊      147.374      1.63      1.53071     55.69       4.18
29＊      -67.939      1.09                              4.26
30            ∞       4.00      1.51680     64.20       4.13
31            ∞       0.97                              3.88
像面          ∞       
非球面データ
第１４面
K=0.000,A2=0.0000E+00,A4=-6.87584e-05,A6=-1.78351e-06,A8=9.24419e-08,
A10=-1.58208e-09
第１６面
K=0.000,A2=0.0000E+00,A4=-8.77784e-05,A6=-1.01116e-06,A8=5.64180e-08,
A10=-2.23368e-09,A12=3.59187e-11   
第２２面
K=0.000,A2=0.0000E+00,A4=-2.17277e-04,A6=5.36299e-06,A8=-5.28517e-07,
A10=1.10330e-08,A12=-1.37250e-10
第２３面
K=0.000,A2=0.0000E+00,A4=-1.09771e-04,A6=5.91402e-06,A8=-5.09130e-07,
A10=8.38419e-09,A12=-4.36735e-11
第２８面
K=0.000,A2=0.0000E+00,A4=6.11134e-04,A6=-4.92865e-05,A8=-5.05949e-07,
A10=2.19323e-09
第２９面
K=0.000,A2=0.0000E+00,A4=1.09149e-03,A6=-6.84436e-05,A8=-1.26590e-06,
A10=4.63882e-08
各種データ
ズーム比        19.80
広角      中間       望遠 
焦点距離         4.70      21.07      92.95
ＦＮＯ．         2.87       4.50       5.22
画角２ω        77.84      18.91       4.31
像高             3.6        3.6        3.6
レンズ全長      82.94     100.13     120.10
BF               4.69       4.70       4.70
d6               1.00      19.36      39.43 
d14             26.54       8.04       2.30 
d23              1.58      14.90      27.96 
d27              4.65       8.67       1.22 
入射瞳位置      19.80      67.28     303.89
射出瞳位置A    -30.80    -116.62   -1286.31
射出瞳位置B    -35.49    -121.32   -1291.01
前側主点位置    23.87      84.69     390.16
後側主点位置    -3.73     -20.10     -91.98
レンズ単体データ
レンズ  始面    焦点距離    
L1    1        128.87
L2    3        -65.62
L3    4        240.41
L4    5         49.61
L5    7        -10.30
L6    9        -11.00
L7    10     8.81E+04
L8    11         8.73
L9    13       -16.45
L10   16        16.37
L11   18       -21.52
L12   20        20.48
L13   22      -163.38
L14   24        33.38
L15   25     8.13E+06
L16   26       -57.61
L17   28        87.85
ズームレンズ群データ
群  始面   焦点距離  レンズ構成長  前側主点位置  後側主点位置 
G1    1     62.0750    10.1939        0.0124       -6.1538    
G2    7     -7.3388    13.5160        1.8236       -7.1887    
G3   15     17.0107    15.6380        1.8824       -9.4664    
G4   24     73.7783     3.5080       -2.0985       -4.2304    
G5   28     87.8520     6.7160        0.7294       -4.0624    
群  始面  広角倍率   中間倍率   望遠倍率  
G1    1    0.0000     0.0000     0.0000
G2    7   -0.1604    -0.2678    -1.0014
G3   15   -0.6274    -1.8095    -1.8801
G4   24    0.7975     0.7430     0.8438
G5   28    0.9427     0.9427     0.9427
【０２３２】
数値実施例7
単位   ｍｍ
面データ
面番号        r          d          nd        νd        ER
物面          ∞        ∞
1          59.200      3.83      1.49700     81.54      18.70
2        2576.346      0.10                             18.48
3          38.400      0.96      1.90680     21.15      15.50
4          23.902      0.77      1.70010     17.01      14.69
5          27.142      4.40      1.69400     56.30      14.68
6         112.392      可変                             14.44
7         124.140      1.10      1.88300     40.76       9.63
8           8.143      4.79                              6.79
9         -46.254      0.80      1.88300     40.76       6.71
10         12.396      0.01      1.51400     42.83       6.70
11         12.396      4.87      1.78472     25.68       6.70
12        -12.684      1.15                              6.74
13        -11.499      0.80      1.77250     49.60       5.81
14＊     -141.904      可変                              5.83
15(絞り)      ∞       1.30                              3.48
16＊       10.743      4.93      1.58913     61.14       4.03
17        -78.051      0.10                              4.09
18         28.041      2.77      1.84666     23.78       4.09
19         10.545      1.42                              3.85
20         13.731      3.12      1.49700     81.54       4.14
21        -36.985      0.64                              4.20
22＊       81.603      1.36      1.53071     55.69       4.19
23＊       44.028      可変                              4.19
24         19.130      2.68      1.49700     81.54       4.62
25       -119.090      0.01      1.51400     42.83       4.50
26       -119.090      0.82      1.80400     46.57       4.50
27         76.031      可変                              4.45
28＊      147.374      1.63      1.53071     55.69       4.18
29＊      -67.939      1.09                              4.22
30            ∞       4.00      1.51680     64.20       4.11
31            ∞       1.00                              3.87
像面          ∞       
非球面データ
第１４面
K=0.000,A2=0.0000E+00,A4=-8.03282e-05,A6=-9.82748e-07,A8=4.48510e-08,
A10=-9.57444e-10
第１６面
K=0.000,A2=0.0000E+00,A4=-8.77784e-05,A6=-1.01116e-06,A8=5.64180e-08,
A10=-2.23368e-09,A12=3.59187e-11
第２２面
K=0.000,A2=0.0000E+00,A4=-2.17277e-04,A6=5.36299e-06,A8=-5.28517e-07,
A10=1.10330e-08,A12=-1.37250e-10
第２３面
K=0.000,A2=0.0000E+00,A4=-1.09771e-04,A6=5.91402e-06,A8=-5.09130e-07,
A10=8.38419e-09,A12=-4.36735e-11
第２８面
K=0.000,A2=0.0000E+00,A4=1.07507e-03,A6=-8.98397e-05,A8=3.30252e-06,
A10=-1.03838e-07
第２９面
K=0.000,A2=0.0000E+00,A4=1.64800e-03,A6=-1.03700e-04,A8=1.95605e-06,
A10=-5.18968e-08
各種データ
ズーム比        19.40
広角      中間       望遠 
焦点距離         4.75      21.05      92.07
ＦＮＯ．         2.88       4.49       5.39
画角２ω        76.84      18.92       4.35
像高             3.6        3.6        3.6
レンズ全長      82.20      98.86     118.20
BF               4.72       4.70       4.70
d6               1.00      18.05      35.85 
d14             25.71       8.05       2.30 
d23              1.57      14.67      29.76 
d27              4.85       9.04       1.25 
入射瞳位置      19.80      66.10     277.19
射出瞳位置A    -31.32    -116.75    3184.27
射出瞳位置B    -36.05    -121.45    3179.56
前側主点位置    23.92      83.50     371.92
後側主点位置    -3.75     -20.07     -91.09
レンズ単体データ
レンズ  始面    焦点距離    
L1    1        121.85
L2    3        -72.08
L3    4        260.52
L4    5         50.49
L5    7         -9.91
L6    9        -11.00
L7    10     8.81E+04
L8    11         8.73
L9    13       -16.24
L10   16        16.37
L11   18       -21.52
L12   20        20.57
L13   22      -182.46
L14   24        33.38
L15   25     8.13E+06
L16   26       -57.61
L17   28        87.85
ズームレンズ群データ
群  始面   焦点距離  レンズ構成長  前側主点位置  後側主点位置 
G1     1     57.9678    10.0525       -0.1804       -6.2322    
G2     7     -7.0320    13.5160        1.8345       -7.1369    
G3    15     16.9660    15.6380        1.9601       -9.4347    
G4    24     73.7783     3.5080       -2.0985       -4.2304    
G5    28     87.8520     6.7160        0.7294       -4.0624    
群  始面   広角倍率  中間倍率   望遠倍率
G1     1     0.0000     0.0000    0.0000
G2     7    -0.1680    -0.2833   -1.0020
G3    15    -0.6511    -1.8427   -1.9939
G4    24     0.7943     0.7378    0.8434
G5    28     0.9424     0.9427    0.9426
【０２３３】
数値実施例8
単位   ｍｍ
面データ
面番号        r          d          nd        νd        ER
物面          ∞        ∞
1          59.081      3.88      1.49700     81.54      18.70
2        2581.534      0.10                             18.70
3          40.200      1.18      1.92286     20.88      15.50
4          24.773      0.76      1.69952     16.99      14.68
5          28.005      4.39      1.69350     53.21      14.66
6         114.485      可変                             14.40
7         107.468      1.10      1.88300     40.76       9.47
8           8.050      4.79                              6.69
9         -46.254      0.80      1.88300     40.76       6.57
10         12.396      0.01      1.51400     42.83       6.52
11         12.396      4.87      1.78472     25.68       6.53
12        -12.684      1.15                              6.55
13        -11.499      0.80      1.77250     49.60       5.60
14＊     -152.233      可変                              5.58
15(絞り)      ∞       1.30                              3.48
16＊       10.743      4.93      1.58913     61.14       4.05
17        -78.051      0.10                              4.11
18         28.041      2.77      1.84666     23.78       4.11
19         10.583      1.42                              3.88
20         13.859      3.12      1.49700     81.54       4.17
21        -36.985      0.64                              4.24
22＊       81.752      1.36      1.53071     55.69       4.23
23＊       49.209      可変                              4.24
24         19.130      2.68      1.49700     81.54       4.65
25       -119.090      0.01      1.51400     42.83       4.52
26       -119.090      0.82      1.80400     46.57       4.52
27         76.031      可変                              4.47
28＊      147.374      1.63      1.53071     55.69       4.19
29＊      -67.939      1.09                              4.23
30            ∞       4.00      1.51680     64.20       4.12
31            ∞       1.01                              3.88
像面          ∞       
非球面データ
第１４面
K=0.000,A2=0.0000E+00,A4=-7.82039e-05,A6=-1.47014e-06,A8=7.30170e-08,
A10=-1.40458e-09
第１６面
K=0.000,A2=0.0000E+00,A4=-8.77784e-05,A6=-1.01116e-06,A8=5.64180e-08,
A10=-2.23368e-09,A12=3.59187e-11
第２２面
K=0.000,A2=0.0000E+00,A4=-2.17277e-04,A6=5.36299e-06,A8=-5.28517e-07,
A10=1.10330e-08,A12=-1.37250e-10
第２３面
K=0.000,A2=0.0000E+00,A4=-1.09771e-04,A6=5.91402e-06,A8=-5.09130e-07,
A10=8.38419e-09,A12=-4.36735e-11
第２８面
K=0.000,A2=0.0000E+00,A4=7.25151e-04,A6=-2.44213e-05,A8=-1.96813e-06,
A10=3.62753e-08
第２９面
K=0.000,A2=0.0000E+00,A4=1.19272e-03,A6=-2.99570e-05,A8=-3.63456e-06,
A10=9.36181e-08
各種データ
ズーム比        19.64
広角      中間       望遠 
焦点距離         4.71      20.70      92.59
ＦＮＯ．         2.85       4.42       5.32
画角２ω        77.22      19.25       4.33
像高             3.6        3.6        3.6
レンズ全長      81.74      99.65     120.68
BF               4.74       4.75       4.69
d6               1.00      19.07      38.16 
d14             25.05       7.83       2.30 
d23              1.56      14.40      29.67 
d27              4.80       9.00       1.25 
入射瞳位置      19.80      68.17     297.78
射出瞳位置A    -31.62    -115.19    2783.11
射出瞳位置B    -36.36    -119.94    2778.42
前側主点位置    23.90      85.30     393.45
後側主点位置    -3.70     -19.67     -91.62
レンズ単体データ
レンズ  始面    焦点距離    
L1    1        121.60
L2    3        -72.62
L3    4        279.74
L4    5         52.37
L5    7         -9.91
L6    9        -11.00
L7    10     8.81E+04
L8    11         8.73
L9    13       -16.14
L10   16        16.37
L11   18       -21.65
L12   20        20.71
L13   22      -236.36
L14   24        33.38
L15   25     8.13E+06
L16   26       -57.61
L17   28        87.85
ズームレンズ群データ
群  始面   焦点距離   レンズ構成長  前側主点位置  後側主点位置 
G1    1     60.9351     10.3100       -0.4001       -6.5698    
G2    7     -6.9924     13.5160        1.8581       -7.0963    
G3   15     16.8154     15.6380        2.1454       -9.3540    
G4   24     73.7783      3.5080       -2.0985       -4.2304    
G5   28     87.8520      6.7160        0.7294       -4.0624    
群  始面  広角倍率   中間倍率   望遠倍率
G1    1    0.0000     0.0000     0.0000
G2    7   -0.1571    -0.2645    -0.9505
G3   15   -0.6578    -1.8479    -2.0102
G4   24    0.7947     0.7377     0.8435
G5   28    0.9422     0.9421     0.9427
【０２３４】
数値実施例9
単位   ｍｍ
面データ
面番号        r          d          nd        νd        ER
物面          ∞        ∞
1          59.899      3.94      1.49700     81.54      18.70
2        2332.852      0.10                             18.88
3          41.600      1.18      1.92286     20.88      15.50
4          25.054      0.77      1.69952     16.99      14.69
5          28.453      4.22      1.74100     52.64      14.67
6         109.173      可変                             14.42
7         114.264      1.10      1.88300     40.76       9.66
8           8.255      4.79                              6.83
9         -46.254      0.80      1.88300     40.76       6.72
10         12.396      0.01      1.51400     42.83       6.68
11         12.396      4.87      1.78472     25.68       6.68
12        -12.684      1.15                              6.70
13        -11.499      0.80      1.77250     49.60       5.62
14＊     -162.457      可変                              5.58
15(絞り)      ∞       1.30                              3.48
16＊       10.743      4.93      1.58913     61.14       4.04
17        -78.051      0.10                              4.09
18         28.041      2.77      1.84666     23.78       4.09
19         10.482      1.42                              3.86
20         13.530      3.12      1.49700     81.54       4.15
21        -36.985      0.64                              4.21
22＊       76.180      1.36      1.53071     55.69       4.20
23＊       44.700      可変                              4.20
24         19.130      2.68      1.49700     81.54       4.65
25       -119.090      0.01      1.51400     42.83       4.51
26       -119.090      0.82      1.80400     46.57       4.51
27         76.031      可変                              4.46
28＊      147.374      1.63      1.53071     55.69       4.21
29＊      -67.939      1.09                              4.24
30            ∞       4.00      1.51680     64.20       4.12
31            ∞       1.00                              3.88
像面          ∞       
非球面データ
第１４面
K=0.000,A2=0.0000E+00,A4=-7.59751e-05,A6=-1.83539e-06,A8=1.03693e-07,
A10=-1.94189e-09
第１６面
K=0.000,A2=0.0000E+00,A4=-8.77784e-05,A6=-1.01116e-06,A8=5.64180e-08,
A10=-2.23368e-09,A12=3.59187e-11
第２２面
K=0.000,A2=0.0000E+00,A4=-2.17277e-04,A6=5.36299e-06,A8=-5.28517e-07,
A10=1.10330e-08,A12=-1.37250e-10
第２３面
K=0.000,A2=0.0000E+00,A4=-1.09771e-04,A6=5.91402e-06,A8=-5.09130e-07,
A10=8.38419e-09,A12=-4.36735e-11
第２８面
K=0.000,A2=0.0000E+00,A4=4.80805e-04,A6=-8.72841e-06,A8=-2.09389e-06,
A10=3.65491e-08
第２９面
K=0.000,A2=0.0000E+00,A4=8.48293e-04,A6=-1.20671e-05,A8=-3.42396e-06,
A10=7.97393e-08
各種データ
ズーム比        19.89
広角      中間       望遠 
焦点距離         4.68      20.84      93.08
ＦＮＯ．         2.85       4.44       5.17
画角２ω        77.73      19.14       4.32
像高             3.6        3.6        3.6
レンズ全長      82.26     100.65     118.93
BF               4.73       4.75       4.74
d6               1.00      19.61      38.16 
d14             25.79       8.67       2.30 
d23              1.56      17.23      28.01 
d27              4.68       5.88       1.22 
入射瞳位置      19.80      71.16     303.98
射出瞳位置A    -31.23    -134.82   -1533.69
射出瞳位置B    -35.96    -139.57   -1538.43
前側主点位置    23.87      88.88     391.43
後側主点位置    -3.68     -19.81     -92.07
レンズ単体データ
レンズ  始面    焦点距離    
L1    1        123.63
L2    3        -70.68
L3    4        274.13
L4    5         50.80
L5    7        -10.13
L6    9        -11.00
L7    10     8.81E+04
L8    11         8.73
L9    13       -16.06
L10   16        16.37
L11   18       -21.31
L12   20        20.35
L13   22      -206.92
L14   24        33.38
L15   25     8.13E+06
L16   26       -57.61
L17   28        87.85
ズームレンズ群データ
群  始面   焦点距離  レンズ構成長  前側主点位置  後側主点位置 
G1    1     60.4846   10.2153       -0.3195        -6.3735    
G2    7     -7.0876   13.5160        1.8947        -7.0465    
G3   15     16.8658   15.6380        2.0791        -9.3765    
G4   24     73.7783    3.5080       -2.0985        -4.2304    
G5   28     87.8520    6.7160        0.7294        -4.0624    
群  始面   広角倍率   中間倍率   望遠倍率  
G1    1     0.0000     0.0000     0.0000
G2    7    -0.1606    -0.2777    -1.0165
G3   15    -0.6419    -1.6883    -1.9053
G4   24     0.7964     0.7798     0.8432
G5   28     0.9423     0.9421     0.9423
【０２３５】
数値実施例10
単位   ｍｍ
面データ
面番号        r          d          nd        νd        ER
物面          ∞        ∞
1          60.430      4.03      1.49700     81.54      18.70
2        3560.059      0.10                             19.11
3          37.900      1.14      1.94595     17.98      15.50
4          24.736      0.73      1.69952     16.99      14.71
5          27.816      4.15      1.72000     43.69      14.69
6          93.987      可変                             14.43
7          96.799      1.10      1.88300     40.76       9.61
8           8.027      4.79                              6.69
9         -46.254      0.80      1.88300     40.76       6.54
10         12.396      0.01      1.51400     42.83       6.47
11         12.396      4.87      1.78472     25.68       6.47
12        -12.684      1.15                              6.48
13        -11.499      0.80      1.77250     49.60       5.45
14＊     -173.275      可変                              5.40
15(絞り)      ∞       1.30                              3.48
16＊       10.743      4.93      1.58913     61.14       4.04
17        -78.051      0.10                              4.10
18         28.041      2.77      1.84666     23.78       4.10
19         10.392      1.42                              3.87
20         13.283      3.12      1.49700     81.54       4.16
21        -36.985      0.64                              4.23
22＊       77.099      1.36      1.53071     55.69       4.22
23＊       46.336      可変                              4.22
24         19.130      2.68      1.49700     81.54       4.67
25       -119.090      0.01      1.51400     42.83       4.54
26       -119.090      0.82      1.80400     46.57       4.54
27         76.031      可変                              4.49
28＊      147.374      1.63      1.53071     55.69       4.23
29＊      -67.939      1.09                              4.23
30            ∞       4.00      1.51680     64.20       4.12
31            ∞       1.03                              3.88
像面          ∞       
非球面データ
第１４面
K=0.000,A2=0.0000E+00,A4=-8.03513e-05,A6=-1.67633e-06,A8=9.30749e-08,
A10=-1.83760e-09
第１６面
K=0.000,A2=0.0000E+00,A4=-8.77784e-05,A6=-1.01116e-06,A8=5.64180e-08,
A10=-2.23368e-09,A12=3.59187e-11
第２２面
K=0.000,A2=0.0000E+00,A4=-2.17277e-04,A6=5.36299e-06,A8=-5.28517e-07,
A10=1.10330e-08,A12=-1.37250e-10
第２３面
K=0.000,A2=0.0000E+00,A4=-1.09771e-04,A6=5.91402e-06,A8=-5.09130e-07,
A10=8.38419e-09,A12=-4.36735e-11
第２８面
K=0.000,A2=0.0000E+00,A4=6.78553e-04,A6=-1.66161e-05,A8=-1.54939e-06,
A10=2.20507e-08
第２９面
K=0.000,A2=0.0000E+00,A4=1.05976e-03,A6=-1.53037e-05,A8=-3.28541e-06,
A10=7.26883e-08
各種データ
ズーム比        19.92
広角      中間       望遠 
焦点距離         4.67      20.84      93.13
ＦＮＯ．         2.85       4.40       5.15
画角２ω        77.78      19.19       4.33
像高             3.6        3.6        3.6
レンズ全長      81.99     100.29     118.08
BF               4.76       4.75       4.75
d6               1.00      19.61      37.43 
d14             25.51       8.65       2.30 
d23              1.67      16.59      27.97 
d27              4.63       6.26       1.20 
入射瞳位置      19.80      72.63     304.09
射出瞳位置A    -31.58    -128.41   -1571.95
射出瞳位置B    -36.34    -133.16   -1576.70
前側主点位置    23.87      90.21     391.72
後側主点位置    -3.64     -19.82     -92.11
レンズ単体データ
レンズ  始面    焦点距離    
L1    1        123.64
L2    3        -78.59
L3    4        291.02
L4    5         53.47
L5    7         -9.97
L6    9        -11.00
L7    10     8.81E+04
L8    11         8.73
L9    13       -15.98
L10   16        16.37
L11   18       -21.01
L12   20        20.08
L13   22      -222.23
L14   24        33.38
L15   25     8.13E+06
L16   26       -57.61
L17   28        87.85
ズームレンズ群データ
群  始面   焦点距離   レンズ構成長  前側主点位置  後側主点位置 
G1    1     59.5217    10.1420        -0.4561       -6.4724    
G2    7     -6.9701    13.5160         1.9002       -7.0261    
G3   15     16.8268    15.6380         2.1560       -9.3421   
G4   24     73.7783     3.5080        -2.0985       -4.2304     
G5   28     87.8520     6.7160         0.7294       -4.0624    
群  始面    広角倍率   中間倍率   望遠倍率
G1    1     0.0000     0.0000     0.0000
G2    7    -0.1614    -0.2837    -1.0326
G3   15    -0.6482    -1.6910    -1.9072
G4   24     0.7967     0.7748     0.8434
G5   28     0.9420     0.9421     0.9421 
【０２３６】
数値実施例11
単位   ｍｍ
面データ
面番号        r          d          nd        νd        ER
物面          ∞        ∞
1          59.751      3.90      1.49700     81.54     18.70
2        2203.377      0.10                            18.75
3          41.900      1.11      1.90680     21.15     15.50
4          25.678      0.80      1.63336     23.36     14.74
5          29.121      4.20      1.72000     46.02     14.71
6         119.744      可変                            14.47
7         129.746      1.10      1.88300     40.76      9.78
8           8.421      4.79                             6.95
9         -46.254      0.80      1.88300     40.76      6.86
10         12.396      0.01      1.51400     42.83      6.84
11         12.396      4.87      1.78472     25.68      6.84
12        -12.684      1.15                             6.86
13        -11.499      0.80      1.77250     49.60      5.75
14＊     -149.795      可変                             5.72
15(絞り)      ∞       1.30                             3.48
16＊       10.743      4.93      1.58913     61.14      4.03
17        -78.051      0.10                             4.08
18         28.041      2.77      1.84666     23.78      4.08
19         10.386      1.42                             3.85
20         13.158      3.12      1.49700     81.54      4.14
21        -36.985      0.64                             4.20
22＊       87.274      1.36      1.53071     55.69      4.18
23＊       44.424       可変                            4.18
24         19.130      2.68      1.49700     81.54      4.63
25       -119.090      0.01      1.51400     42.83      4.49
26       -119.090      0.82      1.80400     46.57      4.49
27         76.031      可変                             4.44
28＊      147.374      1.63      1.53071     55.69      4.19
29＊      -67.939      1.09                             4.25
30            ∞       4.00      1.51680     64.20      4.12
31            ∞       0.97                             3.88
像面          ∞       
非球面データ
第１４面
K=0.000,A2=0.0000E+00,A4=-7.22699e-05,A6=-1.91912e-06,A8=1.03329e-07,
A10=-1.85098e-09
第１６面
K=0.000,A2=0.0000E+00,A4=-8.77784e-05,A6=-1.01116e-06,A8=5.64180e-08,
A10=-2.23368e-09,A12=3.59187e-11
第２２面
K=0.000,A2=0.0000E+00,A4=-2.17277e-04,A6=5.36299e-06,A8=-5.28517e-07,
A10=1.10330e-08,A12=-1.37250e-10
第２３面
K=0.000,A2=0.0000E+00,A4=-1.09771e-04,A6=5.91402e-06,A8=-5.09130e-07,
A10=8.38419e-09,A12=-4.36735e-11
第２８面
K=0.000,A2=0.0000E+00,A4=3.76463e-04,A6=-9.67102e-06,A8=-2.04606e-06,
A10=2.89575e-08
第２９面
K=0.000,A2=0.0000E+00,A4=7.08578e-04,A6=-8.97430e-06,A8=-3.63292e-06,
A10=8.09720e-08
各種データ
ズーム比        19.87
広角      中間       望遠 
焦点距離         4.69      20.78      93.18
ＦＮＯ．         2.86       4.46       5.20
画角２ω        77.60      19.19       4.31
像高             3.6        3.6        3.6
レンズ全長      82.58      99.94     119.10
BF               4.70       4.69       4.70
d6               1.00      19.14      38.41
d14             26.21       8.39       2.30
d23              1.59      15.72      28.02
d27              4.68       7.59       1.26
入射瞳位置      19.80      68.12     301.49
射出瞳位置A    -31.13    -122.17   -1463.63
射出瞳位置B    -35.83    -126.86   -1468.33
前側主点位置    23.88      85.50     388.75
後側主点位置    -3.72     -19.81     -92.20
レンズ単体データ
レンズ  始面    焦点距離    
L1    1        123.50
L2    3        -75.60
L3    4        314.63
L4    5         52.42
L5    7        -10.24
L6    9        -11.00
L7    10     8.81E+04
L8    11         8.73
L9    13       -16.16
L10   16        16.37
L11   18       -20.99
L12   20        19.94
L13   22      -172.39
L14   24        33.38
L15   25     8.13E+06
L16   26       -57.61
L17   28        87.85
ズームレンズ群データ
群  始面   焦点距離  レンズ構成長  前側主点位置  後側主点位置 
G1    1    60.7680    10.1128        -0.1334       -6.2114    
G2    7    -7.1956    13.5160         1.8818       -7.0797    
G3   15    16.9487    15.6380         1.9918       -9.4149    
G4   24    73.7783     3.5080        -2.0985       -4.2304    
G5   28    87.8520     6.7160         0.7294       -4.0624    
群  始面    広角倍率   中間倍率   望遠倍率
G1    1    0.0000     0.0000     0.0000
G2    7   -0.1618    -0.2732    -1.0183
G3   15   -0.6350    -1.7527    -1.8946
G4   24    0.7969     0.7575     0.8432
G5   28    0.9427     0.9427     0.9426
【０２３７】
数値実施例12
単位   ｍｍ
面データ
面番号        r          d          nd        νd        ER
物面          ∞        ∞
1          58.997      3.97      1.49700     81.54     18.70
2        2670.495      0.10                            18.78
3          39.600      1.10      1.92286     18.90     15.50
4          25.219      0.82      1.63336     23.36     14.73
5          28.974      4.08      1.73077     40.51     14.71
6         107.166      可変                            14.46
7         124.410      1.10      1.88300     40.76      9.69
8           8.265      4.79                             6.85
9         -46.254      0.80      1.88300     40.76      6.75
10         12.396      0.01      1.51400     42.83      6.71
11         12.396      4.87      1.78472     25.68      6.71
12        -12.684      1.15                             6.73
13        -11.499      0.80      1.77250     49.60      5.67
14＊     -171.588      可変                             5.65
15(絞り)      ∞       1.30                             3.48
16＊       10.743      4.93      1.5891 3    61.14      4.04
17        -78.051      0.10                             4.09
18         28.041      2.77      1.84666     23.78      4.09
19         10.358      1.42                             3.86
20         13.095      3.12      1.49700     81.54      4.16
21        -36.985      0.64                             4.22
22＊       83.838      1.36      1.53071     55.69      4.20
23＊       44.687      可変                             4.20
24         19.130      2.68      1.49700     81.54      4.64
25       -119.090      0.01      1.51400     42.83      4.50
26       -119.090      0.82      1.80400     46.57      4.50
27         76.031      可変                             4.45
28＊      147.374      1.63      1.53071     55.69      4.19
29＊      -67.939      1.09                             4.21
30            ∞       4.00      1.51680     64.20      4.10
31            ∞       0.99                             3.87
像面          ∞       
非球面データ
第１４面
K=0.000,A2=0.0000E+00,A4=-7.58786e-05,A6=-1.78626e-06,A8=9.59291e-08,
A10=-1.79213e-09
第１６面
K=0.000,A2=0.0000E+00,A4=-8.77784e-05,A6=-1.01116e-06,A8=5.64180e-08,
A10=-2.23368e-09,A12=3.59187e-11
第２２面
K=0.000,A2=0.0000E+00,A4=-2.17277e-04,A6=5.36299e-06,A8=-5.28517e-07,
A10=1.10330e-08,A12=-1.37250e-10
第２３面
K=0.000,A2=0.0000E+00,A4=-1.09771e-04,A6=5.91402e-06,A8=-5.09130e-07,
A10=8.38419e-09,A12=-4.36735e-11
第２８面
K=0.000,A2=0.0000E+00,A4=5.50788e-04,A6=-2.06039e-05,A8=-1.13573e-06,
A10=9.85482e-09
第２９面
K=0.000,A2=0.0000E+00,A4=9.20668e-04,A6=-1.96459e-05,A8=-2.71973e-06,
A10=5.81147e-08
各種データ
ズーム比        19.83
広角      中間       望遠 
焦点距離         4.69      20.74      93.03
ＦＮＯ．         2.86       4.45       5.19
画角２ω        77.50      19.21       4.31
像高             3.6        3.6        3.6
レンズ全長      82.30      99.06     117.44
BF               4.72       4.69       4.70
d6               1.00      18.31      36.70
d14             25.88       8.28       2.30
d23              1.59      15.17      28.07
d27              4.74       8.24       1.29
入射瞳位置      19.80      66.75     293.82
射出瞳位置A    -31.34    -119.23   -1607.25
射出瞳位置B    -36.06    -123.92   -1611.95
前側主点位置    23.88      84.02     381.49
後側主点位置    -3.70     -19.77     -92.06
レンズ単体データ
レンズ  始面    焦点距離    
L1    1        121.33
L2    3        -78.13
L3    4        283.17
L4    5         53.17
L5    7        -10.07
L6    9        -11.00
L7    10     8.81E+04
L8    11         8.73
L9    13       -15.99
L10   16        16.37
L11   18       -20.90
L12   20        19.87
L13   22      -182.51
L14   24        33.38
L15   25     8.13E+06
L16   26       -57.61
L17   28        87.85
ズームレンズ群データ
群  始面   焦点距離  レンズ構成長  前側主点位置  後側主点位置 
G1    1    58.5129    10.0830       -0.1551       -6.1890    
G2    7   −7.0309    13.5160        1.8981       -7.0286   
G3   15    16.9109    15.6380        2.0434       -9.3905   
G4   24    73.7783     3.5080       -2.0985       -4.2304   
G5   28    87.8520     6.7160        0.7294       -4.0624    
群  始面    広角倍率  中間倍率   望遠倍率
G1    1     0.0000    0.0000     0.0000
G2    7    -0.1658   -0.2803    -1.0507
G3   15    -0.6445   -1.7917    -1.9045 
G4   24     0.7958    0.7488     0.8429
G5   28     0.9425    0.9427     0.9426
【０２３８】
次に、各実施例における条件式の値を掲げる。
｜G1／G2｜＞6.4  …(２)
0＜(Zb(3.3a)-Za(3.3a))/(Zb(2.5a)-Za(2.5a))<0.895  …（３−２）
0.4＜θｇFｎ＜0.9  …（４−３）
0.20<(Tnglw(0.7)/Tbasw(0.7))/(Tngl(0)/Tbas(0))<0.65  …（５a）
0.10<(Tnglw(0.9)/Tbasw(0.9))/(Tngl(0)/Tbas(0))<0.45  …（５b）
0.4＜θｈｇ＜1.2  …（６）
条件式              (2)        (3-2)    (4-3)     (5a)     (5b)      (6)
実施例１           -8.78      0.8273    0.721      0.511   0.320     0.647 
実施例２           -8.88      0.7060    0.828      0.485   0.290     0.647 
実施例３           -8.66      0.6693    0.855      0.434   0.245     0.654 
実施例４           -8.65      0.6709    0.797      0.413   0.228     0.695 
実施例５           -8.81      0.6660    0.697      0.424   0.237     0.695 
実施例６           -8.46      0.6663    0.687      0.441   0.247     0.726 
実施例７           -8.24      0.6621    0.631      0.454   0.262     0.812 
実施例８           -8.71      0.6846    0.584      0.505   0.303     0.900 
実施例９           -8.53      0.6717    0.592      0.495   0.293     0.900 
実施例１０         -8.54      0.6675    0.684      0.512   0.307     0.900 
実施例１１         -8.45      0.7065    0.658      0.503   0.305     0.900 
実施例１２         -8.32      0.6720    0.785      0.503   0.301     0.900
|Fbaso/Fngl|>0.15  …（７）
0＜θｇFbaso−θｇFuni＜0.15  …（８）
2.0＜Fngl／G1＜7.0  …（９）
−26＜(Ra+Rb)/（Ra-Rb）＜-0.5  …（１０）
条件式            (7)            (8)             (9)            (10)
実施例１          -0.5105        0.0130         3.00          -10.56 
実施例２          -0.2439        0.0157         5.11          -16.50 
実施例３          -0.2368        0.0264         4.56          -16.18 
実施例４          -0.2412        0.0414         4.19          -16.03 
実施例５          -0.2373        0.0482         4.21          -15.84 
実施例６          -0.2730        0.0600         3.87          -14.48 
実施例７          -0.2767        0.0684         4.49          -15.61 
実施例８          -0.2596        0.0835         4.59          -16.33 
実施例９          -0.2578        0.0827         4.53          -15.74 
実施例１０        -0.2701        0.0651         4.89          -17.06 
実施例１１        -0.2403        0.0519         5.18          -15.92 
実施例１２        -0.2759        0.0482         4.84          -14.43
0.4＜Tngl(0)／Tbas(0)＜2.4  …（１１−１a）
0.2＜Tnglt(0.7)／Tbast(0.7)＜1.5  …（１１−１b）
0.1＜Tnglt(0.9)／Tbast(0.9)＜1.1  …（１１−１c）
0.2<(Tnglt(0.7)/Tbast(0.7))/(Tngl(0)/Tbas(0))<0.85  …（１１−２a）
0.2<(Tnglt(0.9)/Tbast(0.9))/(Tngl(0)/Tbas(0))<0.75  …（１１−２b）
条件式      (11-1a)    (11-1b)    (11-1c)    (11-2a)    (11-2b)
実施例１      1.379     0.940     0.740     0.682      0.537 
実施例２      0.721     0.370     0.243     0.513      0.337 
実施例３      0.766     0.381     0.249     0.497      0.325 
実施例４      0.813     0.394     0.256     0.484      0.315 
実施例５      0.795     0.385     0.248     0.484      0.313 
実施例６      0.826     0.429     0.286     0.520      0.346 
実施例７      0.804     0.465     0.331     0.578      0.412 
実施例８      0.646     0.378     0.268     0.586      0.415 
実施例９      0.655     0.373     0.260     0.570      0.397 
実施例１０    0.641     0.375     0.264     0.585      0.412 
実施例１１    0.721     0.420     0.299     0.582      0.414 
実施例１２    0.747     0.445     0.319     0.596      0.428
0.5<(Tnglw(0.7) /(Tngl(0))<0.9  …（１２a）
0.3<(Tnglw(0.9)/(Tngl(0))<0.8  …（１２b）
0.5<(Tnglt(0.7) /(Tngl(0))<0.95  …（１３a）
0.4<(Tnglt(0.9)/(Tngl(0))<0.93  …（１３b）
0.4＜Tngl(0)／Tbas(0)＜2.4  …（１４−１a）
0.2＜Tnglw(0.7)／Tbasw(0.7)＜0.9  …（１４−１b）
0.1＜Tnglw(0.9)／Tbasw(0.9)＜0.65  …（１４−１c）
条件式      (12a)    (12b)    (13a)    (13b)    (14-1a)  (14-1b)   (14-1c)
実施例１     0.739    0.561    0.851    0.755    1.379    0.705    0.441 
実施例２     0.753    0.570    0.765    0.610    0.721    0.350    0.209 
実施例３     0.736    0.541    0.776    0.627    0.766    0.333    0.188 
実施例４     0.731    0.535    0.781    0.634    0.813    0.336    0.185 
実施例５     0.734    0.539    0.774    0.623    0.795    0.337    0.188 
実施例６     0.730    0.530    0.783    0.638    0.826    0.365    0.204 
実施例７     0.727    0.527    0.811    0.686    0.804    0.365    0.210 
実施例８     0.745    0.555    0.797    0.663    0.646    0.326    0.195 
実施例９     0.742    0.548    0.789    0.650    0.655    0.324    0.192 
実施例１０   0.741    0.547    0.789    0.649    0.641    0.328    0.197 
実施例１１   0.758    0.576    0.806    0.678    0.721    0.362    0.220 
実施例１２   0.744    0.552    0.802    0.673    0.747    0.376    0.225
【０２３９】
さて、以上のような本発明のズームレンズは、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。なお、ここで図示されている光学系は、一般的に用いられている光学系の例である。上記の実施例の結像光学系と置き換えることで、本発明の結像光学系を備えた撮影装置を実現できる。
【０２４０】
図２５〜図２７に本発明によるズームレンズをデジタルカメラの撮影光学系４１に組み込んだ構成の概念図を示す。図２５はデジタルカメラ４０の外観を示す前方斜視図、図２６は同後方斜視図、図２７はデジタルカメラ４０の光学構成を示す断面図である。
【０２４１】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０２４２】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０２４３】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Eに導く接眼光学系５９が配置されている。
【０２４４】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０２４５】
次に、本発明のズームレンズが対物光学系として内蔵された情報処理装置の一例であるパソコンを図２８〜図３０に示す。図２８はパソコン３００のカバーを開いた状態の前方斜視図、図２９はパソコン３００の撮影光学系３０３の断面図、図３０は図２８の側面図である。図２８〜図３０に示されるように、パソコン３００は、キーボード３０１と、情報処理手段や記録手段と、モニター３０２と、撮影光学系３０３とを有している。
【０２４６】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０２４７】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０２４８】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図２８には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０２４９】
次に、本発明のズームレンズが撮影光学系として内蔵された情報処理装置の一例である電話、特に持ち運びに便利な携帯電話を図３１に示す。図３１（a）は携帯電話４００の正面図、図３１（b）は側面図、図３１（c）は撮影光学系４０５の断面図である。図３１（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０２５０】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０２５１】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０２５２】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０２５３】
なお、本発明は、その趣旨を逸脱しない範囲で様々な変形例をとることができる。
【産業上の利用可能性】
【０２５４】
本発明は、２次スペクトルが低減された、広画角、高ズーム比の結像光学系に有用である。
【符号の説明】
【０２５５】
Ｇ１          第１レンズ群
Ｇ２          第２レンズ群
Ｇ３          第３レンズ群
Ｇ４          第４レンズ群
Ｇ５          第５レンズ群
Ｌ１〜Ｌ６、Ｌ８〜Ｌ１４、Ｌ１６〜Ｌ１８  各レンズ
Ｌ７、Ｌ１５  接合層
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2010197481.tif 000003
【図２】
2010197481.tif 000004
【図３】
2010197481.tif 000005
【図４】
2010197481.tif 000006
【図５】
2010197481.tif 000007
【図６】
2010197481.tif 000008
【図７】
2010197481.tif 000009
【図８】
2010197481.tif 000010
【図９】
2010197481.tif 000011
【図１０】
2010197481.tif 000012
【図１１】
2010197481.tif 000013
【図１２】
2010197481.tif 000014
【図１３】
2010197481.tif 000015
【図１４】
2010197481.tif 000016
【図１５】
2010197481.tif 000017
【図１６】
2010197481.tif 000018
【図１７】
2010197481.tif 000019
【図１８】
2010197481.tif 000020
【図１９】
2010197481.tif 000021
【図２０】
2010197481.tif 000022
【図２１】
2010197481.tif 000023
【図２２】
2010197481.tif 000024
【図２３】
2010197481.tif 000025
【図２４】
2010197481.tif 000026
【図２５】
2010197481.tif 000027
【図２６】
2010197481.tif 000028
【図２７】
2010197481.tif 000029
【図２８】
2010197481.tif 000030
【図２９】
2010197481.tif 000031
【図３０】
2010197481.tif 000032
【図３１】
2010197481.tif 000033